(57)【特許請求の範囲】
【請求項１】
円盤状の主板と、前記主板の周縁部に設置される複数枚の羽根と、を有する羽根車と、
前記羽根車を収納するスクロールケーシングと、
を備え、
前記スクロールケーシングは、
前記羽根車が発生させた気流が吐出される吐出口を形成する吐出部と、
前記羽根車の回転軸の軸方向に対して垂直に配置されて前記羽根車を覆い、空気を取り込む吸込口が形成された少なくとも１つの側壁と、前記回転軸の軸方向と平行に配置され前記羽根車を覆う周壁と、前記吐出部の端部と前記周壁の巻始部との間に位置して曲面を構成し、前記羽根車が発生させた気流を前記吐出口に導く舌部と、を有するスクロール部と、
を備え、
前記舌部は、
前記回転軸の軸方向と平行な方向において、前記主板と対向する部分に位置する第１領域部と、前記第１領域部に対して前記側壁側に位置する第２領域部とを有し、
前記回転軸に対する垂直断面において、
前記第１領域部は、前記巻始部と前記端部とを結ぶ第１接続直線の二等分線と、前記舌部を構成する曲線との交点である第１頂点部を有し、
前記第２領域部は、前記巻始部と前記端部とを結ぶ第２接続直線の二等分線と、前記舌部を構成する曲線との交点である第２頂点部を有し、
前記回転軸と前記第１頂点部とを結ぶ仮想の直線を第１直線と定義し、前記回転軸と前記第２頂点部とを結ぶ仮想の直線を第２直線と定義した場合に、
前記第２直線は、前記第１直線よりも長く形成されており、
前記吐出部は、
前記周壁と連続して形成されている延設板と、
前記舌部と連続して形成されていると共に、前記延設板と対向し、前記吐出部内の空気の流れ方向に沿って流路の断面積が次第に拡大するように配設されているディフューザ板とを有し、
前記吐出口を形成する前記ディフューザ板の吐出口端部と、前記回転軸とを結ぶ仮想の直線を基準直線と定義した場合に、
前記第２頂点部と前記基準直線との間の最短距離が、前記第１頂点部と前記基準直線との間の最短距離よりも大きい遠心送風機。
【請求項２】
円盤状の主板と、前記主板の周縁部に設置される複数枚の羽根と、を有する羽根車と、
前記羽根車を収納するスクロールケーシングと、
を備え、
前記スクロールケーシングは、
前記羽根車が発生させた気流が吐出される吐出口を形成する吐出部と、
前記羽根車の回転軸の軸方向に対して垂直に配置されて前記羽根車を覆い、空気を取り込む吸込口が形成された少なくとも１つの側壁と、前記回転軸の軸方向と平行に配置され前記羽根車を覆う周壁と、前記吐出部の端部と前記周壁の巻始部との間に位置して曲面を構成し、前記羽根車が発生させた気流を前記吐出口に導く舌部と、を有するスクロール部と、
を備え、
前記舌部は、
前記回転軸の軸方向と平行な方向において、前記主板と対向する部分に位置する第１領域部と、前記第１領域部に対して前記側壁側に位置する第２領域部とを有し、
前記回転軸に対する垂直断面において、
前記第１領域部は、前記巻始部と前記端部とを結ぶ第１接続直線の二等分線と、前記舌部を構成する曲線との交点である第１頂点部を有し、
前記第２領域部は、前記巻始部と前記端部とを結ぶ第２接続直線の二等分線と、前記舌部を構成する曲線との交点である第２頂点部を有し、
前記回転軸と前記第１頂点部とを結ぶ仮想の直線を第１直線と定義し、前記回転軸と前記第２頂点部とを結ぶ仮想の直線を第２直線と定義した場合に、
前記第２直線は、前記第１直線よりも長く形成されており、
前記舌部は、
前記吐出口側から見ると、前記第１領域部が前記回転軸に近づくように湾曲して形成されている遠心送風機。
【請求項３】
円盤状の主板と、前記主板の周縁部に設置される複数枚の羽根と、を有する羽根車と、
前記羽根車を収納するスクロールケーシングと、
を備え、
前記スクロールケーシングは、
前記羽根車が発生させた気流が吐出される吐出口を形成する吐出部と、
前記羽根車の回転軸の軸方向に対して垂直に配置されて前記羽根車を覆い、空気を取り込む吸込口が形成された少なくとも１つの側壁と、前記回転軸の軸方向と平行に配置され前記羽根車を覆う周壁と、前記吐出部の端部と前記周壁の巻始部との間に位置して曲面を構成し、前記羽根車が発生させた気流を前記吐出口に導く舌部と、を有するスクロール部と、
を備え、
前記舌部は、
前記回転軸の軸方向と平行な方向において、前記主板と対向する部分に位置する第１領域部と、前記第１領域部に対して前記側壁側に位置する第２領域部とを有し、
前記回転軸に対する垂直断面において、
前記第１領域部は、前記巻始部と前記端部とを結ぶ第１接続直線の二等分線と、前記舌部を構成する曲線との交点である第１頂点部を有し、
前記第２領域部は、前記巻始部と前記端部とを結ぶ第２接続直線の二等分線と、前記舌部を構成する曲線との交点である第２頂点部を有し、
前記回転軸と前記第１頂点部とを結ぶ仮想の直線を第１直線と定義し、前記回転軸と前記第２頂点部とを結ぶ仮想の直線を第２直線と定義した場合に、
前記第２直線は、前記第１直線よりも長く形成されており、
前記舌部は、
前記第１領域部と比較して前記第２領域部が前記回転軸から離れるように湾曲している遠心送風機。
【請求項４】
円盤状の主板と、前記主板の周縁部に設置される複数枚の羽根と、を有する羽根車と、
前記羽根車を収納するスクロールケーシングと、
を備え、
前記スクロールケーシングは、
前記羽根車が発生させた気流が吐出される吐出口を形成する吐出部と、
前記羽根車の回転軸の軸方向に対して垂直に配置されて前記羽根車を覆い、空気を取り込む吸込口が形成された少なくとも１つの側壁と、前記回転軸の軸方向と平行に配置され前記羽根車を覆う周壁と、前記吐出部の端部と前記周壁の巻始部との間に位置して曲面を構成し、前記羽根車が発生させた気流を前記吐出口に導く舌部と、を有するスクロール部と、
を備え、
前記舌部は、
前記回転軸の軸方向と平行な方向において、前記主板と対向する部分に位置する第１領域部と、前記第１領域部に対して前記側壁側に位置する第２領域部とを有し、
前記回転軸に対する垂直断面において、
前記第１領域部は、前記巻始部と前記端部とを結ぶ第１接続直線の二等分線と、前記舌部を構成する曲線との交点である第１頂点部を有し、
前記第２領域部は、前記巻始部と前記端部とを結ぶ第２接続直線の二等分線と、前記舌部を構成する曲線との交点である第２頂点部を有し、
前記回転軸と前記第１頂点部とを結ぶ仮想の直線を第１直線と定義し、前記回転軸と前記第２頂点部とを結ぶ仮想の直線を第２直線と定義した場合に、
前記第２直線は、前記第１直線よりも長く形成されており、
前記回転軸に対する垂直断面において、
前記第１領域部の前記巻始部と前記回転軸とを結ぶ仮想の接続直線における、前記第１領域部の前記巻始部と前記羽根車との距離を第１距離ｄＢと定義し、
前記第２領域部の前記巻始部と前記回転軸とを結ぶ仮想の接続直線における、前記第２領域部の前記巻始部と前記羽根車との距離を第２距離ｄＡと定義し、
前記第１領域部と連続する前記周壁と前記羽根車との距離を第１距離ｄＢ´と定義し、
前記第２領域部と連続する前記周壁と前記羽根車との距離を第２距離ｄＡ´と定義した場合に、
第２距離ｄＡ＞第１距離ｄＢ、かつ、第１距離ｄＢ´＞第２距離ｄＡ´の関係が成り立つ遠心送風機。
【請求項５】
前記周壁は、
前記回転軸に対する垂直断面において、渦巻形状に形成されており、
前記巻始部は、
前記渦巻形状を前記気流の方向と反対方向に延長した仮想の渦巻曲線に対して、前記吐出口側に位置するように形成されている請求項１〜４のいずれか１項に記載の遠心送風機。
【請求項６】
前記吐出部は、
前記周壁と連続して形成されている延設板と、
前記舌部と連続して形成されていると共に、前記延設板と対向し、前記吐出部内の空気の流れ方向に沿って流路の断面積が次第に拡大するように配設されているディフューザ板とを有し、
前記ディフューザ板は、
前記第１領域部と連続して形成されている第１ディフューザ部と、
前記第２領域部と連続して形成されている第２ディフューザ部と、
を有し、
前記回転軸に対する垂直断面において、
前記吐出口を形成する前記ディフューザ板の吐出口端部と、前記回転軸とを結ぶ仮想の直線を基準直線と定義し、前記第１ディフューザ部と前記基準直線との間の角度を第１吐出口角度と定義し、前記第２ディフューザ部と前記基準直線との間の角度を第２吐出口角度と定義した場合に、
前記第２吐出口角度が、前記第１吐出口角度よりも大きい角度に形成されている請求項２〜４のいずれか１項に記載の遠心送風機。
【請求項７】
前記ディフューザ板は、
前記第１領域部と連続して形成されている第１ディフューザ部と、
前記第２領域部と連続して形成されている第２ディフューザ部と、
を有し、
前記回転軸に対する垂直断面において、
前記第１ディフューザ部と前記基準直線との間の角度を第１吐出口角度と定義し、前記第２ディフューザ部と前記基準直線との間の角度を第２吐出口角度と定義した場合に、
前記第２吐出口角度が、前記第１吐出口角度よりも大きい角度に形成されている請求項１に記載の遠心送風機。
【請求項８】
前記舌部は、
前記基準直線の前記回転軸と前記吐出口端部との間において、前記第２頂点部は、前記第１頂点部よりも前記吐出口端部側に形成されている請求項６又は７に記載の遠心送風機。
【請求項９】
前記舌部は、
前記第２頂点部と前記基準直線との間の最短距離が、前記第１頂点部と前記基準直線との間の最短距離よりも大きい請求項６に記載の遠心送風機。
【請求項１０】
前記舌部は、
前記吐出口側から見ると、前記第１領域部が前記回転軸に近づくように湾曲して形成されている請求項１、３、４のいずれか１項に記載の遠心送風機。
【請求項１１】
前記舌部は、
前記第１領域部と比較して前記第２領域部が前記回転軸から離れるように湾曲している請求項１、２、４のいずれか１項に記載の遠心送風機。
【請求項１２】
前記回転軸に対する垂直断面において、
前記第１領域部の前記巻始部と前記回転軸とを結ぶ仮想の接続直線における、前記第１領域部の前記巻始部と前記羽根車との距離を第１距離ｄＢと定義し、
前記第２領域部の前記巻始部と前記回転軸とを結ぶ仮想の接続直線における、前記第２領域部の前記巻始部と前記羽根車との距離を第２距離ｄＡと定義し、
前記第１領域部と連続する前記周壁と前記羽根車との距離を第１距離ｄＢ´と定義し、
前記第２領域部と連続する前記周壁と前記羽根車との距離を第２距離ｄＡ´と定義した場合に、
第２距離ｄＡ＞第１距離ｄＢ、かつ、第１距離ｄＢ´＞第２距離ｄＡ´の関係が成り立つ請求項１〜３のいずれか１項に記載の遠心送風機。
【請求項１３】
前記舌部は、
前記第２領域部と比較して前記第１領域部が前記回転軸から離れるように湾曲している請求項４又は１２に記載の遠心送風機。
【請求項１４】
前記周壁は、
前記舌部の形状と連続して湾曲している請求項３、１１、１３のいずれか１項に記載の遠心送風機。
【請求項１５】
前記スクロール部は、
前記側壁を１つ有する請求項１〜４のいずれか１項に記載の遠心送風機。
【請求項１６】
前記スクロール部は、
前記側壁を２つ有し、前記側壁はそれぞれ対向するように配置される請求項１〜１４のいずれか１項に記載の遠心送風機。
【請求項１７】
請求項１〜１６のいずれか１項に記載の遠心送風機と、
当該遠心送風機を収容するケースと、
を備えた送風装置。
【請求項１８】
請求項１〜１６のいずれか１項に記載の遠心送風機と、
当該遠心送風機の前記吐出口と対向する位置に配置された熱交換器と、
を備える空気調和装置。
【請求項１９】
請求項１〜１６のいずれか１項に記載の遠心送風機を備えた冷凍サイクル装置。
【発明の詳細な説明】
【技術分野】
【０００１】
本発明は、スクロールケーシングを有する遠心送風機並びにこれを備えた送風装置、空気調和装置及び冷凍サイクル装置に関する。
【背景技術】
【０００２】
従来の遠心送風機は、スクロールケーシング内に円盤状の主板と多数の翼とで構成された遠心ファンと、遠心ファンの回転軸方向端に形成された吸込口から流入した空気を遠心ファンの遠心方向に吹き出し昇圧させるために必要な絞り部である舌部と、を備えている。その舌部形状は、例えば、遠心送風機の吐出口から見た場合に、主板側から吸込口側にかけて直線形状となっている。遠心送風機は、吸込口から流入したスクロールケーシング内の気流が吐出口に向かう際、舌部を分岐点として気流の一部がスクロール内に再流入することがあり、この気流の再流入が送風性能の低下と騒音増加の要因となっている。そこで、ケーシングにおける舌部の回転方向位置を、遠心ファンにおける吸込口側から主板側に亙って送風ファンの回転方向に徐々に移動させた形状を有する遠心送風機が提案されている（例えば、特許文献１参照）。特許文献１の遠心送風機の舌部は、当該構成を有することにより、吐出口に向かう気流の再流入量を減らし送風性能の向上と乱流騒音の低減を図り得るとしている。
【先行技術文献】
【特許文献】
【０００３】
【特許文献１】特開２００７−１４６８１７号公報
【発明の概要】
【発明が解決しようとする課題】
【０００４】
しかしながら、特許文献１の遠心送風機は、主板側から吸込口が形成されている側板側にかけて、舌部と翼間とのクリアランスを一定にしながら反回転方向に舌部が延出している。そのため、特許文献１の遠心送風機は、スクロールケーシング内で、吐出口に向かう気流と再流入する気流との気流量が異なる主板側と吸込口側の舌部付近で圧力が局所的に変動し、騒音が悪化する場合がある。【０００５】
本発明は、上記のような課題を解決するためのものであり、騒音の低減を図る遠心送風機、並びにこれを備えた送風装置、空気調和装置及び冷凍サイクル装置を提供するものである。
【課題を解決するための手段】
【０００６】
本発明に係る遠心送風機は、円盤状の主板と、主板の周縁部に設置される複数枚の羽根と、を有する羽根車と、羽根車を収納するスクロールケーシングと、を備え、スクロールケーシングは、羽根車が発生させた気流が吐出される吐出口を形成する吐出部と、羽根車の回転軸の軸方向に対して垂直に配置されて羽根車を覆い、空気を取り込む吸込口が形成された少なくとも１つの側壁と、回転軸の軸方向と平行に配置され羽根車を覆う周壁と、吐出部の端部と周壁の巻始部との間に位置して曲面を構成し、羽根車が発生させた気流を吐出口に導く舌部と、を有するスクロール部と、を備え、舌部は、回転軸の軸方向と平行な方向において、主板と対向する部分に位置する第１領域部と、第１領域部に対して側壁側に位置する第２領域部とを有し、回転軸に対する垂直断面において、第１領域部は、巻始部と端部とを結ぶ第１接続直線の二等分線と、舌部を構成する曲線との交点である第１頂点部を有し、第２領域部は、巻始部と端部とを結ぶ第２接続直線の二等分線と、舌部を構成する曲線との交点である第２頂点部を有し、回転軸と第１頂点部とを結ぶ仮想の直線を第１直線と定義し、回転軸と第２頂点部とを結ぶ仮想の直線を第２直線と定義した場合に、第２直線は、第１直線よりも長く形成されており、吐出部は、周壁と連続して形成されている延設板と、舌部と連続して形成されていると共に、延設板と対向し、吐出部内の空気の流れ方向に沿って流路の断面積が次第に拡大するように配設されているディフューザ板とを有し、吐出口を形成するディフューザ板の吐出口端部と、回転軸とを結ぶ仮想の直線を基準直線と定義した場合に、第２頂点部と基準直線との間の最短距離が、第１頂点部と基準直線との間の最短距離よりも大きいものである。
【発明の効果】
【０００７】
本発明に係る遠心送風機は、舌部が、回転軸の軸方向と平行な方向において、主板と対向する部分に位置する第１領域部と、第１領域部に対して側壁側に位置する第２領域部とを有する。そして、回転軸に対する垂直断面において、第１領域部は、巻始部と端部とを結ぶ第１接続直線の二等分線と、舌部を構成する曲線との交点である第１頂点部を有する。また、第２領域部は、巻始部と端部とを結ぶ第２接続直線の二等分線と、舌部を構成する曲線との交点である第２頂点部を有する。そして、回転軸と第１頂点部とを結ぶ仮想の直線を第１直線と定義し、回転軸と第２頂点部とを結ぶ仮想の直線を第２直線と定義した場合に、第２直線は、第１直線よりも長いものである。舌部が、当該構成を備えることにより、異なる方向に流れる主板側の気流と吸込口側の気流に対応して舌部に生じる気流のよどみ点を移動させることができる。その結果、遠心送風機は、気流のよどみ点を境にスクロール部内に再流入する気流量を調整することができ、それに伴う局所的な圧力変動を抑制することができるため低騒音化することができる。
【図面の簡単な説明】
【０００８】
【図１】本発明の実施の形態１に係る遠心送風機の斜視図である。
【図２】図１の遠心送風機を吐出口側から見た側面図である。
【図３】図２の遠心送風機のＡ−Ａ線断面図である。
【図４】図３の遠心送風機のＢ−Ｂ線位置における、図１の遠心送風機の水平断面図である。
【図５】図１の遠心送風機の舌部と羽根車の回転軸との関係を示す概念図である。
【図６】本発明の実施の形態１に係る遠心送風機の変形例の吐出口側から見た側面図である。
【図７】図３のＢ−Ｂ線位置における、図６の遠心送風機の水平断面図である。
【図８】本発明の実施の形態２に係る遠心送風機の斜視図である。
【図９】図８の遠心送風機を吐出口側から見た側面図である。
【図１０】図９の遠心送風機のＡ−Ａ線断面図である。
【図１１】図１０の遠心送風機のＢ−Ｂ線位置における、図８の遠心送風機の水平断面図である。
【図１２】図８の遠心送風機の舌部と羽根車の回転軸との関係を示す概念図である。
【図１３】本発明の実施の形態２に係る遠心送風機の変形例の吐出口側から見た側面図である。
【図１４】図１０のＢ−Ｂ線位置における、図１３の遠心送風機の水平断面図である。
【図１５】本発明の実施の形態３に係る遠心送風機の斜視図である。
【図１６】図１５の遠心送風機を吐出口側から見た側面図である。
【図１７】図１６の遠心送風機のＡ−Ａ線断面図である。
【図１８】図１７の遠心送風機のＢ−Ｂ線位置における、図１５の遠心送風機の水平断面図である。
【図１９】図１５の遠心送風機の舌部と羽根車の回転軸との関係を示す概念図である。
【図２０】本発明の実施の形態３に係る遠心送風機の変形例の吐出口側から見た側面図である。
【図２１】図１７のＢ−Ｂ線位置における、図２０の遠心送風機の水平断面図である。
【図２２】本発明の実施の形態４に係る遠心送風機の斜視図である。
【図２３】図２２の遠心送風機を吐出口側から見た側面図である。
【図２４】図２３の遠心送風機のＡ−Ａ線断面図である。
【図２５】図２４の遠心送風機のＢ−Ｂ線位置における、図２２の遠心送風機の水平断面図である。
【図２６】図２２の遠心送風機の舌部と羽根車の回転軸との関係を示す概念図である。
【図２７】本発明の実施の形態４に係る遠心送風機の変形例の吐出口側から見た側面図である。
【図２８】図２４のＢ−Ｂ線位置における、図２７の遠心送風機の水平断面図である。
【図２９】本発明の実施の形態５に係る送風装置の構成を示す図である。
【図３０】本発明の実施の形態６に係る空気調和装置の斜視図である。
【図３１】本発明の実施の形態６に係る空気調和装置の内部構成を示す図である。
【図３２】本発明の実施の形態６に係る空気調和装置の断面図である。
【図３３】本発明の実施の形態７に係る冷凍サイクル装置の構成を示す図である。
【発明を実施するための形態】
【０００９】
以下、本発明の実施の形態に係る遠心送風機１、遠心送風機１Ａ、遠心送風機１Ｂ及び遠心送風機１Ｃ、並びに、送風装置３０、空気調和装置４０及び冷凍サイクル装置５０について図面等を参照しながら説明する。なお、図１を含む以下の図面では、各構成部材の相対的な寸法の関係及び形状等が実際のものとは異なる場合がある。また、以下の図面において、同一の符号を付したものは、同一又はこれに相当するものであり、このことは明細書の全文において共通することとする。また、理解を容易にするために方向を表す用語（例えば「上」、「下」、「右」、「左」、「前」、「後」など）を適宜用いるが、それらの表記は、説明の便宜上、そのように記載しているだけであって、装置あるいは部品の配置及び向きを限定するものではない。
【００１０】
実施の形態１．
［遠心送風機１］
図１は、本発明の実施の形態１に係る遠心送風機１の斜視図である。図２は、図１の遠心送風機１を吐出口４２ａ側から見た側面図である。図３は、図２の遠心送風機１のＡ−Ａ線断面図である。図４は、図３の遠心送風機１のＢ−Ｂ線位置における、図１の遠心送風機１の水平断面図である。図１〜図４を用いて、遠心送風機１の基本的な構造について説明する遠心送風機１は、多翼遠心型の遠心送風機１であり、気流を発生させる羽根車２と、羽根車２を収納するスクロールケーシング４とを有する。
【００１１】
（羽根車２）
羽根車２は、モータ等（図示は省略）によって回転駆動され、回転で生じる遠心力により、半径方向外方へ空気を強制的に送出する。羽根車２は、図１及び図２に示すように、円盤状の主板２ａと、主板２ａの周縁部２ａ１に設置される複数枚の羽根２ｄと、を有する。主板２ａの中心部には、軸部２ｂが設けられている。軸部２ｂの中央には、ファンモータ（図示は省略）が接続され、羽根車２はモータの駆動力によって回転する。また、羽根車２は、軸部２ｂの回転軸ＲＳの軸方向において、図２及び図４に示すように、複数の羽根２ｄの主板２ａと反対側の端部に主板２ａに対向するリング状の側板２ｃを有している。側板２ｃは、複数の羽根２ｄを連結することで、各羽根２ｄの先端の位置関係を維持し、かつ、複数の羽根２ｄを補強している。なお、羽根車２は、側板２ｃを備えない構造であってもよい。羽根車２が側板２ｃを有する場合、複数の羽根２ｄのそれぞれは、一端が主板２ａと接続され、他端が側板２ｃと接続されており、複数の羽根２ｄは、主板２ａと側板２ｃとの間に配置されている。羽根車２は、主板２ａと複数の羽根２ｄとにより円筒形状に構成され、軸部２ｂの回転軸ＲＳの軸方向において、主板２ａと反対側の側板２ｃ側に、羽根車２の吸込口２ｅを形成している。
【００１２】
複数の羽根２ｄは、軸部２ｂを中心とする円周状に配置され、基端が主板２ａの面上に固定されている。複数の羽根２ｄは、軸部２ｂの回転軸ＲＳの軸方向において、図２及び図４に示すように、主板２ａの両側に設けられている。各羽根２ｄは、主板２ａの周縁部２ａ１に、互いに一定の間隔をもって配置されている。各羽根２ｄは、例えば湾曲長方形板状を有し、半径方向に沿うように、又は半径方向に対して所定の角度で傾斜して設置される。
【００１３】
羽根車２は、上記のような構成を備え、回転されることで、主板２ａと複数の羽根２ｄとで囲まれる空間に吸込んだ空気を羽根２ｄと隣接する羽根２ｄとの間を通して、半径方向外方に送出することができる。なお、実施の形態１において、各羽根２ｄは主板２ａに対してほぼ垂直に立ち上がるように設けられているが、特にこれに限定されず、各羽根２ｄは、主板２ａの垂直方向に対して傾斜して設けられてもよい。
【００１４】
（スクロールケーシング４）
スクロールケーシング４は、羽根車２を囲んでおり、羽根車２から吹き出された空気を整流する。スクロールケーシング４は、吐出部４２と、スクロール部４１と、を有する。吐出部４２は、羽根車２が発生させ、スクロール部４１を通過した気流が吐出される吐出口４２ａを形成する。スクロール部４１は、羽根車２が発生させた気流の動圧を静圧に変換する風路を形成する。スクロール部４１は、羽根車２を構成する軸部２ｂの回転軸ＲＳの軸方向から羽根車２を覆い、空気を取り込む吸込口５が形成された側壁４ａと、羽根車２を軸部２ｂの回転軸ＲＳの径方向から囲む周壁４ｃと、を有する。また、スクロール部４１は、吐出部４２の周壁４ｃ側の端部である接続部４２ｆと周壁４ｃの巻始部４１ａとの間に位置して曲面を構成し、羽根車２が発生させた気流を、スクロール部４１を介して吐出口４２ａに導く舌部４３を有する。なお、軸部２ｂの径方向とは、軸部２ｂに垂直な方向である。周壁４ｃ及び側壁４ａにより構成されるスクロール部４１の内部空間は、羽根車２から吹き出された空気が周壁４ｃに沿って流れる空間となっている。
【００１５】
（側壁４ａ）
側壁４ａは、羽根車２の回転軸ＲＳの軸方向に対して垂直に配置されて羽根車２を覆う。スクロールケーシング４の側壁４ａには、羽根車２とスクロールケーシング４の外部との間を空気が流通できるように、吸込口５が形成されている。また、側壁４ａには、吸込口５を通じてスクロールケーシング４に吸い込まれる気流を案内するベルマウス３が設けられている。ベルマウス３は、羽根車２の吸込口２ｅに対向する位置に形成されている。ベルマウス３は、吸込口５を通じてスクロールケーシング４に吸い込まれる気流の上流側の端部である上流端３ａから下流側の端部である下流端３ｂに向かって風路が狭くなる環状に形成されている。吸込口５は円形状に形成され、吸込口５の中心と羽根車２の軸部２ｂの中心とがほぼ一致するように配設される。側壁４ａの当該構成により、吸込口５近傍の空気は滑らかに流動し、また、吸込口５から羽根車２に効率よく流入する。図１〜図４に示すように、遠心送風機１は、軸部２ｂの回転軸ＲＳの軸方向において、主板２ａの両側に、吸込口５が形成された側壁４ａを有する両吸込タイプのスクロールケーシング４を有する。すなわち、遠心送風機１は、スクロールケーシング４が側壁４ａを２つ有し、側壁４ａはそれぞれ対向するように配置されている。
【００１６】
（周壁４ｃ）
周壁４ｃは、羽根車２を軸部２ｂの径方向から囲み、羽根車２の径方向の外周側を構成する複数の羽根２ｄと対向する内周面を構成する。周壁４ｃは、羽根車２の回転軸ＲＳの軸方向と平行に配置されて羽根車２を覆う。周壁４ｃは、図３に示すように、舌部４３とスクロール部４１との境界に位置する巻始部４１ａから羽根車２の回転方向に沿って舌部４３から離れた側の吐出部４２とスクロール部４１との境界に位置する巻終部４１ｂまでの部分に設けられている。巻始部４１ａは、湾曲面を構成する周壁４ｃにおいて、羽根車２の回転により発生する気流の上流側の端縁部であり、巻終部４１ｂは、羽根車２の回転により発生する気流の下流側の端縁部である。
【００１７】
周壁４ｃは、羽根車２の回転軸ＲＳの軸方向に幅がある。周壁４ｃは、図３に示すように、軸部２ｂが構成する回転軸ＲＳからの距離が、羽根車２の回転方向（矢印Ｒ方向）に進むに従い次第に遠くなる所定の拡大率で定義される渦巻形状に形成される。つまり、周壁４ｃは、舌部４３から吐出部４２にかけて、周壁４ｃと羽根車２の外周との間隙は所定の割合で拡大し、また、空気の流路面積は次第に大きくなる。なお、所定の拡大率で定義される渦巻形状としては、例えば、対数螺旋、アルキメデス螺旋、あるいは、インボリュート曲線等に基づく渦巻形状がある。周壁４ｃの内周面は、渦巻形状の巻始めとなる巻始部４１ａから渦巻形状の巻終りとなる巻終部４１ｂまで羽根車２の周方向に沿って滑らかに湾曲する湾曲面を構成する。このような構成により、羽根車２から送り出された空気は、図３の矢印Ｆ１の方向へ羽根車２と周壁４ｃとの間隙を滑らかに流動する。このため、スクロールケーシング４内では、舌部４３から吐出部４２へ向かって空気の静圧が効率よく上昇する。
【００１８】
（吐出部４２）
吐出部４２は、周壁４ｃに沿って流動する空気の流れ方向に直交する断面が、矩形状となる中空の管で構成される。図３及び図４に示すように、吐出部４２は、羽根車２から送出されて周壁４ｃと羽根車２との間隙を流動する空気を、外気へ排出するように案内する流路を形成する。吐出部４２の一方の端部は、スクロールケーシング４に固定され、スクロールケーシング４から吐出部４２に空気が流入する流入口４２ｇを形成する。また、吐出部４２の他方の端部は、吐出部４２内の流路を流れた空気が外気へ排出される吐出口４２ａを形成する。図３の矢印Ｆ２は、スクロールケーシング４から吐出部４２の吐出口４２ａへ向かう空気の流れを示している。
【００１９】
吐出部４２は、図１に示されるように、延設板４２ｂと、ディフューザ板４２ｃと、第１側板４２ｄと、第２側板４２ｅと等で構成される。延設板４２ｂは、周壁４ｃの下流側の巻終部４１ｂに滑らかに連続して、スクロールケーシング４と一体に形成される。ディフューザ板４２ｃは、スクロールケーシング４の舌部４３に連続して形成されていると共に、延設板４２ｂと対向し、吐出部４２内の空気の流れ方向に沿って流路の断面積が次第に拡大するように、延設板４２ｂと所定の角度を有して配設される。つまり、ディフューザ板４２ｃは、スクロールケーシング４の舌部４３から、羽根車２の回転方向（矢印Ｒ方向）へ半径方向外方に向かって伸びている。図３に示すように、ディフューザ板４２ｃは、後述する第１領域部４３ａと連続して形成されている第１ディフューザ部４２ｃ４と、後述する第２領域部４３ｂと連続して形成されている第２ディフューザ部４２ｃ５と、を有する。第１側板４２ｄは、スクロールケーシング４の側壁４ａに接続し、第２側板４２ｅは、スクロールケーシング４の反対側の側壁４ａに接続する。そして、対向する第１側板４２ｄと第２側板４２ｅとは、延設板４２ｂ及びディフューザ板４２ｃにより接続されている。このように、吐出部４２は、延設板４２ｂ、ディフューザ板４２ｃ、第１側板４２ｄ及び第２側板４２ｅにより、断面矩形状の流路が形成されている。
【００２０】
（舌部４３）
スクロールケーシング４において、吐出部４２のディフューザ板４２ｃと、周壁４ｃの巻始部４１ａとの間に舌部４３が形成されている。舌部４３は、羽根車２が発生させた気流を、スクロール部４１を介して吐出口４２ａに導く。舌部４３は、スクロール部４１と吐出部４２との境界部分に設けられた凸部である。舌部４３は、スクロールケーシング４において、軸部２ｂの回転軸ＲＳの軸方向と平行な方向に延びている。
【００２１】
舌部４３は、図３に示すように吐出部４２の流入口４２ｇの流路側へ突出するように屈曲して形成される。舌部４３は、所定の曲率半径で形成されており、周壁４ｃは、舌部４３を介してディフューザ板４２ｃと滑らかに接続される。吸込口５から羽根車２を通過して送り出された空気は、スクロールケーシング４によって集められて吐出部４２に流入する際、舌部４３は流路の分岐点となる。すなわち、吐出部４２の流入口４２ｇには、吐出口４２ａへ向かう気流の流路（矢印Ｆ２）及び舌部４３から上流側へ再流入する気流の流路（矢印Ｆ３）が形成される。また、吐出部４２に流入する空気流れは、スクロールケーシング４を通過する間に静圧が上昇し、スクロールケーシング４内よりも高圧となる。そのため、舌部４３は、このような圧力差を仕切る機能を有すると共に、曲面により、吐出部４２に流入する空気を各流路へ導く機能を備えている。
【００２２】
図５は、図１の遠心送風機１の舌部４３と羽根車２の回転軸ＲＳとの関係を示す概念図である。図２〜図５を用いて舌部４３の構成を更に説明する。舌部４３は、羽根車２の回転軸ＲＳの軸方向と平行な方向において、主板２ａと対向する部分に位置する第１領域部４３ａと、第１領域部４３ａに対して側壁４ａ側に位置する第２領域部４３ｂとを有する。舌部４３は、図２に示すように、吐出口４２ａ側から見ると、軸部２ｂの回転軸ＲＳと平行になるように直線形状に形成されている。すなわち、舌部４３は、吐出口４２ａ側から見ると、主板２ａと対向する位置にある第１領域部４３ａと、吸込口５を形成する側壁４ａと接続する第２領域部４３ｂとが、同一直線上に配置されるように形成されている。なお、第１領域部４３ａは、軸部２ｂの回転軸ＲＳの軸方向と平行な方向において、舌部４３の中央部分に位置し、羽根車２の主板２ａと対向する位置にある舌部４３の部分である。また、第２領域部４３ｂは、軸部２ｂの回転軸ＲＳの軸方向と平行な方向において、舌部４３の端部に位置し、吸込口５を形成する側壁４ａと連続する舌部４３の部分である。第１領域部４３ａは、第２領域部４３ｂに対して、主板２ａ側に位置する舌部４３の部分であり、第２領域部４３ｂは、第１領域部４３ａに対して、吸込口５側に位置する舌部４３の部分である。なお、第２領域部４３ｂは、吸込口５を形成する側壁４ａと連続する舌部４３の部分だけではなく、軸部２ｂの回転軸ＲＳの軸方向と平行な方向において、主板２ａよりも側壁４ａに近い部分の舌部４３を含んでもよい。
【００２３】
舌部４３は、図４に示すように、延設板４２ｂ側からディフューザ板４２ｃ側に見ると、第２領域部４３ｂと比較して第１領域部４３ａが羽根車２の回転軸ＲＳに近づくように湾曲している。換言すると、舌部４３は、図４に示すように、延設板４２ｂ側からディフューザ板４２ｃ側に見ると、第１領域部４３ａと比較して第２領域部４３ｂが羽根車２の回転軸ＲＳから離れるように湾曲している。すなわち、舌部４３は、第１領域部４３ａから第２領域部４３ｂにかけて、羽根車２との間隔が広くなるように、かつ、吐出口４２ａに近づくように滑らかにＵ字状に形成されている。また、図３及び図４に示すように、周壁４ｃは、舌部４３と連続する部分の周壁４ｃも舌部４３の形状と連続して、側壁４ａ側から主板２ａ側にかけて羽根車２の回転軸ＲＳに近づくように湾曲している。すなわち、スクロールケーシング４は、羽根車２の回転軸ＲＳの軸方向において、舌部４３と、舌部４３と連続する部分の周壁４ｃの中央部分がスクロールケーシング４の内側に緩やかに凹むように形成されている。従って、周壁４ｃは、舌部４３の形状と連続して湾曲している。
【００２４】
図３及び図５を用いて舌部４３の構成を更に詳細に説明する。上述したように舌部４３は、周壁４ｃと、ディフューザ板４２ｃとの間に位置する。巻始部４１ａは、舌部４３とスクロール部４１の周壁４ｃとの境界に位置する。巻始部４１ａは、図３に示すように、軸部２ｂの回転軸ＲＳに対する垂直断面において、舌部４３を形成する曲線と周壁４ｃを形成する曲線との変曲点になる。図５に示す中央巻始部４１ａ１は、第１領域部４３ａにおける巻始部４１ａである。端部巻始部４１ａ２は、第２領域部４３ｂにおける巻始部４１ａである。上述したように、周壁４ｃは、羽根車２の回転軸ＲＳに対する垂直断面において、渦巻形状に形成されている。巻始部４１ａは、軸部２ｂの回転軸ＲＳに対する垂直断面において、図５に示すように、渦巻形状を気流の方向と反対方向に延長した仮想の渦巻曲線４ｃ１に対して、吐出口４２ａ側に位置するように形成されている。
【００２５】
接続部４２ｆは、舌部４３と吐出部４２のディフューザ板４２ｃとの境界に位置する。接続部４２ｆは、ディフューザ板４２ｃが曲面を形成する板の場合、軸部２ｂの回転軸ＲＳに対する垂直断面において、舌部４３を形成する曲線とディフューザ板４２ｃを形成する曲線との変曲点になる。あるいは、ディフューザ板４２ｃが平板の場合、吐出部４２の周壁４ｃ側の端部である接続部４２ｆは、図３に示すように、軸部２ｂの回転軸ＲＳに対する垂直断面において、ディフューザ板４２ｃを形成する直線と舌部４３を形成する曲線との境界となる。図５に示す中央接続部４２ｆ１は、第１領域部４３ａにおける接続部４２ｆである。端部接続部４２ｆ２は、第２領域部４３ｂにおける接続部４２ｆである。ここで、図５に示すように、軸部２ｂの回転軸ＲＳに対する垂直断面において、中央接続部４２ｆ１と端部接続部４２ｆ２とは異なる位置に配置されている。そして、図３に示すように、舌部４３とディフューザ板４２ｃとの境界に位置する接続部４２ｆは、舌部４３の端部であると共にディフューザ板４２ｃの端部でもある。そのため、軸部２ｂの回転軸ＲＳに対する垂直断面において、中央接続部４２ｆ１が端部となる第１ディフューザ部４２ｃ４と、端部接続部４２ｆ２が端部となる第２ディフューザ部４２ｃ５とは異なる吐出口角度で形成されている。より具体的には、軸部２ｂの回転軸ＲＳに対する垂直断面において、吐出口４２ａを形成するディフューザ板４２ｃの吐出口端部４２ｃ１と、軸部２ｂの回転軸ＲＳとを結ぶ仮想の直線を基準直線Ｔとする。そして、第１ディフューザ部４２ｃ４と基準直線Ｔとの間の角度を第１吐出口角度θ１と定義する。また、第２ディフューザ部４２ｃ５と基準直線Ｔとの間の角度を第２吐出口角度θ２と定義する。遠心送風機１は、第２ディフューザ部４２ｃ５が形成する第２吐出口角度θ２が、第１ディフューザ部４２ｃ４が形成する第１吐出口角度θ１よりも大きい角度に形成されている。
【００２６】
舌部４３は、図５に示すように、羽根車２の回転軸ＲＳに対する垂直断面において、第１頂点部４４と、第２頂点部４５とを有する。第１頂点部４４は、第１領域部４３ａにおける舌部４３の頂点である。第１頂点部４４は、羽根車２の回転軸ＲＳに対する垂直断面において、中央巻始部４１ａ１と中央接続部４２ｆ１とを結ぶ第１接続直線ＬＳ１の二等分線Ｅ１と、舌部４３を構成する曲線との交点である。第１接続直線ＬＳ１と、二等分線Ｅ１とは、軸部２ｂの回転軸ＲＳに対する垂直断面において、直角に交わる。第２頂点部４５は、第２領域部４３ｂにおける舌部４３の頂点である。第２頂点部４５は、羽根車２の回転軸ＲＳに対する垂直断面において、端部巻始部４１ａ２と端部接続部４２ｆ２とを結ぶ第２接続直線ＬＳ２の二等分線Ｅ２と、舌部４３を構成する曲線との交点である。第２接続直線ＬＳ２と、二等分線Ｅ２とは、軸部２ｂの回転軸ＲＳに対する垂直断面において、直角に交わる。
【００２７】
ここで、羽根車２の回転軸ＲＳと第１頂点部４４とを結ぶ仮想の直線を第１直線Ｌ１と定義し、羽根車２の回転軸ＲＳと第２頂点部４５とを結ぶ仮想の直線を第２直線Ｌ２と定義する。遠心送風機１は、軸部２ｂの回転軸ＲＳに対する垂直断面において、第１頂点部４４と回転軸ＲＳとを結ぶ第１直線Ｌ１が、第２頂点部４５と回転軸ＲＳとを結ぶ第２直線Ｌ２よりも短い。換言すれば、遠心送風機１は、軸部２ｂの回転軸ＲＳに対する垂直断面において、第２頂点部４５と回転軸ＲＳとを結ぶ第２直線Ｌ２が、第１頂点部４４と回転軸ＲＳとを結ぶ第１直線Ｌ１よりも長い。従って、第２領域部４３ｂの第２頂点部４５は、第１領域部４３ａの第１頂点部４４と比較して、回転軸ＲＳから離れた位置に配置されている。そのため、軸部２ｂの回転軸ＲＳに対する垂直断面において、羽根車２と舌部４３との間の空間は、第２領域部４３ｂの方が第１領域部４３ａよりも大きい。また、図３に示すよう、遠心送風機１は、基準直線Ｔの回転軸ＲＳと吐出口端部４２ｃ１との間において、第２頂点部４５は、第１頂点部４４よりも吐出口端部４２ｃ１側に形成されている。そのため、軸部２ｂの回転軸ＲＳに対する垂直断面において、羽根車２と舌部４３との間の空間は、第２領域部４３ｂの方が第１領域部４３ａよりも大きい。
【００２８】
図６は、本発明の実施の形態１に係る遠心送風機１の変形例の吐出口４２ａ側から見た側面図である。図７は、図３のＢ−Ｂ線位置における、図６の遠心送風機１１の水平断面図である。図１〜図５を用いて両吸込みタイプの遠心送風機１について説明をしたが、遠心送風機１は、両吸込みタイプの遠心送風機１に限定されるものではなく、片吸込みタイプの遠心送風機１１であってもよい。従って、遠心送風機１１は、吸込口５が形成された側壁４ａを少なくとも１つ有していればよい。遠心送風機１１のスクロール部４１は、羽根車２を構成する軸部２ｂの回転軸ＲＳの軸方向から羽根車２を覆い、空気を取り込む吸込口５が形成された側壁４ａと、羽根車２を軸部２ｂの回転軸ＲＳの径方向から囲む周壁４ｃと、を有する。また、片吸込みタイプの遠心送風機１１のスクロール部４１は、回転軸ＲＳの軸方向に対して垂直な側壁４ｄを有する。側壁４ｄには、吸込口５が形成されておらず、側壁４ｄと側壁４ａとは対向するように形成されている。遠心送風機１１の複数の羽根２ｄは、軸部２ｂの回転軸ＲＳの軸方向において、図６及び図８に示すように、主板２ａの片側に設けられている。
【００２９】
遠心送風機１１の舌部４３は、羽根車２の回転軸ＲＳの軸方向と平行な方向において、主板２ａと対向する部分に位置する第１領域部４３ａと、第１領域部４３ａに対して側壁４ａ側に位置する第２領域部４３ｂとを有する。舌部４３は、図６に示すように、吐出口４２ａ側から見ると、軸部２ｂの回転軸ＲＳと平行になるように直線形状に形成されている。すなわち、舌部４３は、吐出口４２ａ側から見ると、主板２ａと対向する位置にある第１領域部４３ａと、吸込口５を形成する側壁４ａと接続する第２領域部４３ｂとが、同一直線上に配置されるように形成されている。なお、第１領域部４３ａは、軸部２ｂの回転軸ＲＳの軸方向と平行な方向において、舌部４３の一方の端部側に位置し、羽根車２の主板２ａと対向する位置にある舌部４３の部分である。また、第２領域部４３ｂは、軸部２ｂの回転軸ＲＳの軸方向と平行な方向において、舌部４３の他方の端部側に位置し、吸込口５を形成する側壁４ａと連続する舌部４３の部分である。第１領域部４３ａは、第２領域部４３ｂに対して、主板２ａ側に位置する舌部４３の部分であり、第２領域部４３ｂは、第１領域部４３ａに対して、吸込口５側に位置する舌部４３の部分である。なお、第２領域部４３ｂは、吸込口５を形成する側壁４ａと連続する舌部４３の部分だけではなく、軸部２ｂの回転軸ＲＳの軸方向と平行な方向において、主板２ａよりも側壁４ａに近い部分の舌部４３を含んでもよい。
【００３０】
舌部４３は、延設板４２ｂ側からディフューザ板４２ｃ側に見ると、図７に示すように、第２領域部４３ｂと比較して第１領域部４３ａが羽根車２の回転軸ＲＳに近づくように湾曲している。換言すると、舌部４３は、延設板４２ｂ側からディフューザ板４２ｃ側に見ると、第１領域部４３ａと比較して第２領域部４３ｂが羽根車２の回転軸ＲＳから離れるように湾曲している。すなわち、舌部４３は、第１領域部４３ａから第２領域部４３ｂにかけて、羽根車２との間隔が広くなるように、かつ、吐出口４２ａに近づくように滑らかに湾曲している。また、舌部４３と連続する部分の周壁４ｃもまた、舌部４３の形状と連続して、側壁４ａ側から主板２ａ側にかけて羽根車２の回転軸ＲＳに近づくように湾曲している。すなわち、スクロールケーシング４は、羽根車２の回転軸ＲＳの軸方向において、舌部４３と、舌部４３と連続する部分の周壁４ｃの、側壁４ｄ側の部分がスクロールケーシング４の内側に緩やかに凹むように形成されている。従って、周壁４ｃは、舌部４３の形状と連続して湾曲している。
【００３１】
［遠心送風機１の動作］
羽根車２が回転すると、スクロールケーシング４の外の空気は、吸込口５を通じてスクロールケーシング４の内部に吸い込まれる。スクロールケーシング４の内部に吸い込まれる空気は、ベルマウス３に案内されて羽根車２に吸い込まれる。羽根車２に吸い込まれた空気は、複数の羽根２ｄの間を通る過程で、動圧と静圧が付加された気流となって羽根車２の径方向外側に向かって吹き出される。羽根車２から吹き出された気流は、スクロール部４１において周壁４ｃの内側と羽根２ｄとの間を案内される間に動圧が静圧に変換される。そして、羽根車２から吹き出された気流は、スクロール部４１を通過後、吐出部４２に形成された吐出口４２ａからスクロールケーシング４の外へ吹き出される（矢印Ｆ２）。ここで、羽根車２から吹き出された気流は、主板２ａ側に偏る流れとなっており、主板２ａから吹き出された一部の気流がスクロール部４１の周壁４ｃの内側と衝突することにより、スクロール部４１の周壁４ｃに沿って吸込口５側に回り込む。主板２ａ側を流れる気流と吸込口５側に回り込んだ気流とは、流れる方向が異なり、スクロール部４１において周壁４ｃの内側と羽根２ｄとの間を案内され、スクロール部４１を通過後、舌部４３を境に一部がスクロール部４１に再流入する（矢印Ｆ３）。
【００３２】
［遠心送風機１の作用効果］
以上のように、遠心送風機１は、舌部４３が、回転軸ＲＳの軸方向と平行な方向において、主板２ａと対向する部分に位置する第１領域部４３ａと、第１領域部４３ａに対して側壁４ａ側に位置する第２領域部４３ｂとを有する。そして、回転軸ＲＳに対する垂直断面において、第１領域部４３ａは、第１頂点部４４を有する。第１頂点部４４は、巻始部４１ａと吐出部４２の端部である接続部４２ｆとを結ぶ第１接続直線ＬＳ１の二等分線Ｅ１と、舌部４３を構成する曲線との交点である。また、第２領域部４３ｂは、巻始部４１ａと吐出部４２の周壁４ｃ側の端部である接続部４２ｆとを結ぶ第２接続直線ＬＳ２の二等分線Ｅ２と、舌部４３を構成する曲線との交点である第２頂点部４５を有する。そして、回転軸ＲＳと第１頂点部４４とを結ぶ仮想の直線を第１直線Ｌ１と定義し、回転軸ＲＳと第２頂点部４５とを結ぶ仮想の直線を第２直線Ｌ２と定義した場合に、第２直線Ｌ２は、第１直線Ｌ１よりも長いものである。舌部４３が、当該構成を備えることにより、異なる方向に流れる主板２ａ側の気流と吸込口５側の気流に対応して舌部４３に生じる気流のよどみ点を移動させることができる。その結果、遠心送風機１は、気流のよどみ点を境にスクロール部４１内に再流入する気流量を調整することができ、それに伴う局所的な圧力変動を抑制することができるため低騒音化することができる。
【００３３】
また、巻始部４１ａは、渦巻形状を気流の方向と反対方向に延長した仮想の渦巻曲線４ｃ１に対して、吐出口４２ａ側に位置するように形成されている。遠心送風機１は、当該構成を備えることにより、異なる方向に流れる主板２ａ側の気流と吸込口５側の気流に対応して舌部４３に生じる気流のよどみ点を移動させることができる。その結果、遠心送風機１は、気流のよどみ点を境にスクロール部４１内に再流入する気流量を調整することができ、それに伴う局所的な圧力変動を抑制することができるため低騒音化することができる。
【００３４】
また、遠心送風機１は、回転軸ＲＳに対する垂直断面において、吐出口４２ａを形成するディフューザ板４２ｃの吐出口端部４２ｃ１と、回転軸ＲＳとを結ぶ仮想の直線を基準直線Ｔと定義する。そして、第１ディフューザ部４２ｃ４と基準直線Ｔとの間の角度を第１吐出口角度θ１と定義し、第２ディフューザ部４２ｃ５と基準直線Ｔとの間の角度を第２吐出口角度θ２と定義する。この場合に、第２吐出口角度θ２が、第１吐出口角度θ１よりも大きい角度に形成されている。遠心送風機１は、当該構成を備えることにより、異なる方向に流れる主板２ａ側の気流と吸込口５側の気流に対応して舌部４３に生じる気流のよどみ点を移動させることができる。その結果、遠心送風機１は、気流のよどみ点を境にスクロール部４１内に再流入する気流量を調整することができ、それに伴う局所的な圧力変動を抑制することができるため低騒音化することができる。
【００３５】
また、舌部４３は、基準直線Ｔの回転軸ＲＳと吐出口端部４２ｃ１との間において、第２頂点部４５は、第１頂点部４４よりも吐出口端部４２ｃ１側に形成されている。遠心送風機１は、当該構成を備えることにより、異なる方向に流れる主板２ａ側の気流と吸込口５側の気流に対応して舌部４３に生じる気流のよどみ点を移動させることができる。その結果、遠心送風機１は、気流のよどみ点を境にスクロール部４１内に再流入する気流量を調整することができ、それに伴う局所的な圧力変動を抑制することができるため低騒音化することができる。
【００３６】
また、舌部４３は、第１領域部４３ａと比較して第２領域部４３ｂが回転軸ＲＳから離れるように湾曲している。遠心送風機１は、当該構成を備えることにより、異なる方向に流れる主板２ａ側の気流と吸込口５側の気流に対応して舌部４３に生じる気流のよどみ点を移動させることができる。その結果、遠心送風機１は、気流のよどみ点を境にスクロール部４１内に再流入する気流量を調整することができ、それに伴う局所的な圧力変動を抑制することができるため低騒音化することができる。
【００３７】
また、周壁４ｃは、舌部４３の形状と連続して湾曲している。遠心送風機１は、舌部４３の構成を備えることにより、異なる方向に流れる主板２ａ側の気流と吸込口５側の気流に対応して舌部４３に生じる気流のよどみ点を移動させることができる。そして、周壁４ｃは、舌部４３の形状と連続して湾曲しているため、その気流を円滑に導くことができる。その結果、遠心送風機１は、気流のよどみ点を境にスクロール部４１内に再流入する気流量を調整することができ、それに伴う局所的な圧力変動を抑制することができるため低騒音化することができる。
【００３８】
実施の形態２．
図８は、本発明の実施の形態２に係る遠心送風機１Ａの斜視図である。図９は、図８の遠心送風機１Ａを吐出口４２ａ側から見た側面図である。図１０は、図９の遠心送風機１ＡのＡ−Ａ線断面図である。図１１は、図１０の遠心送風機１ＡのＢ−Ｂ線位置における、図８の遠心送風機１Ａの水平断面図である。図１２は、図８の遠心送風機１Ａの舌部１４３と羽根車２の回転軸ＲＳとの関係を示す概念図である。なお、図１〜図５の遠心送風機１と同一の構成を有する部位には同一の符号を付してその説明を省略する。実施の形態２に係る遠心送風機１Ａは、実施の形態１に係る遠心送風機１の舌部４３の構成が異なるものであり、舌部４３以外の他の部分の構成は、実施の形態１に係る遠心送風機１と同様である。従って、以下の説明では、図８〜図１２を用いて、実施の形態２に係る遠心送風機１Ａの舌部１４３の構成を中心に説明する。
【００３９】
（舌部１４３）
スクロールケーシング４において、吐出部４２のディフューザ板４２ｃと、周壁４ｃの巻始部１４１ａとの間に舌部１４３が形成されている。舌部１４３は、羽根車２が発生させた気流を、スクロール部４１を介して吐出口４２ａに導く。舌部１４３は、スクロール部４１と吐出部４２との境界部分に設けられた凸部である。舌部１４３は、スクロールケーシング４において、軸部２ｂの回転軸ＲＳの軸方向と平行な方向に延びている。
【００４０】
舌部１４３は、図１０に示すように吐出部４２の流入口４２ｇの流路側へ突出するように屈曲して形成される。舌部１４３は、所定の曲率半径で形成されており、周壁４ｃは、舌部１４３を介してディフューザ板４２ｃと滑らかに接続される。吸込口５から羽根車２を通過して送り出された空気は、スクロールケーシング４によって集められて吐出部４２に流入する際、舌部１４３は流路の分岐点となる。すなわち、吐出部４２の流入口４２ｇには、吐出口４２ａへ向かう気流の流路（矢印Ｆ２）及び舌部１４３から上流側へ再流入する気流の流路（矢印Ｆ３）が形成される。また、吐出部４２に流入する空気流れは、スクロールケーシング４を通過する間に静圧が上昇し、スクロールケーシング４内よりも高圧となる。そのため、舌部１４３は、このような圧力差を仕切る機能を有すると共に、曲面により、吐出部４２に流入する空気を各流路へ導く機能を備えている。
【００４１】
図９〜図１２を用いて舌部１４３の構成を更に説明する。舌部１４３は、羽根車２の回転軸ＲＳの軸方向と平行な方向において、主板２ａと対向する部分に位置する第１領域部１４３ａと、第１領域部１４３ａに対して側壁４ａ側に位置する第２領域部１４３ｂとを有する。舌部１４３は、図９に示すように、吐出口４２ａ側から見ると、第１領域部１４３ａが軸部２ｂの回転軸ＲＳに近づくようにＵ字形状に湾曲して形成されている。すなわち、遠心送風機１Ａは、吐出口４２ａ側から見ると、主板２ａと対向する位置にある第１領域部１４３ａが、吸込口５を形成する側壁４ａと接続する第２領域部１４３ｂよりも軸部２ｂの回転軸ＲＳに近い位置に配置されている。舌部１４３は、吐出口４２ａ側から見ると、主板２ａと対向する位置にある第１領域部１４３ａと、吸込口５を形成する側壁４ａと接続する第２領域部１４３ｂとが、同一曲線上に配置されるように形成されている。なお、第１領域部１４３ａは、軸部２ｂの回転軸ＲＳの軸方向と平行な方向において、舌部１４３の中央部分に位置し、羽根車２の主板２ａと対向する位置にある舌部１４３の部分である。また、第２領域部１４３ｂは、軸部２ｂの回転軸ＲＳの軸方向と平行な方向において、舌部１４３の端部に位置し、吸込口５を形成する側壁４ａと連続する舌部１４３の部分である。第１領域部１４３ａは、第２領域部１４３ｂに対して、主板２ａ側に位置する舌部１４３の部分であり、第２領域部１４３ｂは、第１領域部１４３ａに対して、吸込口５側に位置する舌部１４３の部分である。なお、第２領域部１４３ｂは、吸込口５を形成する側壁４ａと連続する舌部１４３の部分だけではなく、軸部２ｂの回転軸ＲＳの軸方向と平行な方向において、主板２ａよりも側壁４ａに近い部分の舌部１４３を含んでもよい。
【００４２】
舌部１４３は、図１１に示すように、延設板４２ｂ側からディフューザ板４２ｃ側に見ると、第２領域部１４３ｂと比較して第１領域部１４３ａが羽根車２の回転軸ＲＳに近づくように湾曲している。換言すると、舌部１４３は、図１１に示すように、延設板４２ｂ側からディフューザ板４２ｃ側に見ると、第１領域部１４３ａと比較して第２領域部１４３ｂが羽根車２の回転軸ＲＳから離れるように湾曲している。すなわち、舌部１４３は、第１領域部１４３ａから第２領域部１４３ｂにかけて、羽根車２との間隔が広くなるように、かつ、吐出口４２ａに近づくように滑らかにＵ字状に形成されている。また、図１０及び図１１に示すように、周壁４ｃは、舌部１４３と連続する部分の周壁４ｃも舌部１４３の形状と連続して、側壁４ａ側から主板２ａ側にかけて羽根車２の回転軸ＲＳに近づくように湾曲している。すなわち、スクロールケーシング４は、羽根車２の回転軸ＲＳの軸方向において、舌部１４３と、舌部１４３と連続する部分の周壁４ｃの中央部分がスクロールケーシング４の内側に緩やかに凹むように形成されている。従って、周壁４ｃは、舌部１４３の形状と連続して湾曲している。遠心送風機１Ａは、実施の形態１に係る遠心送風機１と比較して、第２領域部１４３ｂが第１領域部１４３ａよりも延設板４２ｂ側に配置されており、第２領域部１４３ｂが第１領域部１４３ａよりも流入口４２ｇの流路側へ膨出するように形成されている。
【００４３】
図１０及び図１２を用いて舌部１４３の構成を更に詳細に説明する。舌部１４３は、周壁４ｃと、ディフューザ板４２ｃとの間に位置する。巻始部１４１ａは、舌部１４３とスクロール部４１の周壁４ｃとの境界に位置する。巻始部１４１ａは、図１０に示すように、軸部２ｂの回転軸ＲＳに対する垂直断面において、舌部１４３を形成する曲線と周壁４ｃを形成する曲線との変曲点になる。中央巻始部１４１ａ１は、第１領域部１４３ａにおける巻始部１４１ａである。端部巻始部１４１ａ２は、第２領域部１４３ｂにおける巻始部１４１ａである。上述したように、周壁４ｃは、羽根車２の回転軸ＲＳに対する垂直断面において、渦巻形状に形成されている。巻始部１４１ａは、軸部２ｂの回転軸ＲＳに対する垂直断面において、図１２に示すように、渦巻形状を気流の方向と反対方向に延長した仮想の渦巻曲線４ｃ１に対して、吐出口４２ａ側に位置するように形成されている。
【００４４】
接続部１４２ｆは、舌部１４３と吐出部４２のディフューザ板４２ｃとの境界に位置する。接続部１４２ｆは、ディフューザ板４２ｃが曲面を形成する板の場合、軸部２ｂの回転軸ＲＳに対する垂直断面において、舌部１４３を形成する曲線とディフューザ板４２ｃを形成する曲線との変曲点になる。あるいは、ディフューザ板４２ｃが平板の場合、吐出部４２の周壁４ｃ側の端部である接続部１４２ｆは、図１０に示すように、軸部２ｂの回転軸ＲＳに対する垂直断面において、ディフューザ板４２ｃを形成する直線と舌部１４３を形成する曲線との境界となる。中央接続部１４２ｆ１は、第１領域部１４３ａにおける接続部１４２ｆである。端部接続部１４２ｆ２は、第２領域部１４３ｂにおける接続部１４２ｆである。ここで、図１２に示すように、軸部２ｂの回転軸ＲＳに対する垂直断面において、中央接続部１４２ｆ１と端部接続部１４２ｆ２とは異なる位置に配置されている。そして、図１０に示すように、舌部１４３とディフューザ板４２ｃとの境界に位置する接続部１４２ｆは、舌部１４３の端部であると共にディフューザ板４２ｃの端部でもある。そのため、軸部２ｂの回転軸ＲＳに対する垂直断面において、中央接続部１４２ｆ１が端部となる第１ディフューザ部４２ｃ４と、端部接続部１４２ｆ２が端部となる第２ディフューザ部４２ｃ５とは異なる吐出口角度で形成されている。より具体的には、軸部２ｂの回転軸ＲＳに対する垂直断面において、吐出口４２ａを形成するディフューザ板４２ｃの吐出口端部４２ｃ１と、軸部２ｂの回転軸ＲＳとを結ぶ仮想の直線を基準直線Ｔとする。そして、第１ディフューザ部４２ｃ４と基準直線Ｔとの間の角度を第１吐出口角度θ１１と定義する。また、第２ディフューザ部４２ｃ５と基準直線Ｔとの間の角度を第２吐出口角度θ１２と定義する。遠心送風機１Ａは、第２ディフューザ部４２ｃ５が形成する第２吐出口角度θ１２が、第１ディフューザ部４２ｃ４が形成する第１吐出口角度θ１１よりも大きい角度に形成されている。
【００４５】
舌部１４３は、図１２に示すように、第１頂点部１４４と、第２頂点部１４５とを有する。第１頂点部１４４は、第１領域部１４３ａにおける舌部１４３の頂点である。第１頂点部１４４は、羽根車２の回転軸ＲＳに対する垂直断面において、中央巻始部１４１ａ１と中央接続部１４２ｆ１とを結ぶ第１接続直線ＬＳ１１の二等分線Ｅ１１と、舌部１４３を構成する曲線との交点である。第１接続直線ＬＳ１１と、二等分線Ｅ１１とは、軸部２ｂの回転軸ＲＳに対する垂直断面において、直角に交わる。第２頂点部１４５は、第２領域部１４３ｂにおける舌部１４３の頂点である。第２頂点部１４５は、羽根車２の回転軸ＲＳに対する垂直断面において、端部巻始部１４１ａ２と端部接続部１４２ｆ２とを結ぶ第２接続直線ＬＳ１２の二等分線Ｅ１２と、舌部１４３を構成する曲線との交点である。第２接続直線ＬＳ１２と、二等分線Ｅ１２とは、軸部２ｂの回転軸ＲＳに対する垂直断面において、直角に交わる。
【００４６】
ここで、羽根車２の回転軸ＲＳと第１頂点部１４４とを結ぶ仮想の直線を第１直線Ｌ１１と定義し、羽根車２の回転軸ＲＳと第２頂点部１４５とを結ぶ仮想の直線を第２直線Ｌ１２と定義する。遠心送風機１Ａは、軸部２ｂの回転軸ＲＳに対する垂直断面において、第１頂点部１４４と回転軸ＲＳとを結ぶ第１直線Ｌ１１が、第２頂点部１４５と回転軸ＲＳとを結ぶ第２直線Ｌ１２よりも短い。換言すれば、遠心送風機１Ａは、軸部２ｂの回転軸ＲＳに対する垂直断面において、第２頂点部１４５と回転軸ＲＳとを結ぶ第２直線Ｌ１２が、第１頂点部１４４と回転軸ＲＳとを結ぶ第１直線Ｌ１１よりも長い。従って、第２領域部１４３ｂの第２頂点部１４５は、第１領域部１４３ａの第１頂点部１４４と比較して、回転軸ＲＳから離れた位置に配置されている。そのため、軸部２ｂの回転軸ＲＳに対する垂直断面において、羽根車２と舌部１４３との間の空間は、第２領域部１４３ｂの方が第１領域部１４３ａよりも大きい。また、図１０に示すように、遠心送風機１Ａは、基準直線Ｔの回転軸ＲＳと吐出口端部４２ｃ１との間において、第２頂点部１４５は、第１頂点部１４４よりも吐出口端部４２ｃ１側に形成されている。また、舌部１４３は、第２頂点部１４５と基準直線Ｔとの間の最短距離が、第１頂点部１４４と基準直線Ｔとの間の最短距離よりも大きい。そのため、軸部２ｂの回転軸ＲＳに対する垂直断面において、羽根車２と舌部１４３との間の空間は、第２領域部１４３ｂの方が第１領域部１４３ａよりも大きい。
【００４７】
図１３は、本発明の実施の形態２に係る遠心送風機１Ａの変形例の吐出口４２ａ側から見た側面図である。図１４は、図１０のＢ−Ｂ線位置における、図１３の遠心送風機１１Ａの水平断面図である。図８〜図１２を用いて両吸込みタイプの遠心送風機１Ａについて説明をしたが、遠心送風機１Ａは、両吸込みタイプの遠心送風機１Ａに限定されるものではなく、片吸込みタイプの遠心送風機１１Ａであってもよい。従って、遠心送風機１１Ａは、吸込口５が形成された側壁４ａを少なくとも１つ有していればよい。遠心送風機１１Ａのスクロール部４１は、羽根車２を構成する軸部２ｂの回転軸ＲＳの軸方向から羽根車２を覆い、空気を取り込む吸込口５が形成された側壁４ａと、羽根車２を軸部２ｂの回転軸ＲＳの径方向から囲む周壁４ｃと、を有する。また、片吸込みタイプの遠心送風機１１Ａのスクロール部４１は、回転軸ＲＳの軸方向に対して垂直な側壁４ｄを有する。側壁４ｄには、吸込口５が形成されておらず、側壁４ｄと側壁４ａとは対向するように形成されている。遠心送風機１１Ａの複数の羽根２ｄは、軸部２ｂの回転軸ＲＳの軸方向において、図１３及び図１４に示すように、主板２ａの片側に設けられている。
【００４８】
舌部１４３は、羽根車２の回転軸ＲＳの軸方向と平行な方向において、主板２ａと対向する部分に位置する第１領域部１４３ａと、第１領域部１４３ａに対して側壁４ａ側に位置する第２領域部１４３ｂとを有する。舌部１４３は、図１３に示すように、吐出口４２ａ側から見ると、第１領域部１４３ａが軸部２ｂの回転軸ＲＳに近づくように湾曲して形成されている。すなわち、遠心送風機１Ａは、吐出口４２ａ側から見ると、主板２ａと対向する位置にある第１領域部１４３ａが、吸込口５を形成する側壁４ａと接続する第２領域部１４３ｂよりも軸部２ｂの回転軸ＲＳに近い位置に配置されている。舌部１４３は、吐出口４２ａ側から見ると、主板２ａと対向する位置にある第１領域部１４３ａと、吸込口５を形成する側壁４ａと接続する第２領域部１４３ｂとが、同一曲線上に配置されるように形成されている。なお、第１領域部１４３ａは、軸部２ｂの回転軸ＲＳの軸方向と平行な方向において、舌部１４３の一方の端部側に位置し、羽根車２の主板２ａと対向する位置にある舌部１４３の部分である。また、第２領域部１４３ｂは、軸部２ｂの回転軸ＲＳの軸方向と平行な方向において、舌部１４３の他方の端部側に位置し、吸込口５を形成する側壁４ａと連続する舌部１４３の部分である。第１領域部１４３ａは、第２領域部１４３ｂに対して、主板２ａ側に位置する舌部１４３の部分であり、第２領域部１４３ｂは、第１領域部１４３ａに対して、吸込口５側に位置する舌部１４３の部分である。なお、第２領域部１４３ｂは、吸込口５を形成する側壁４ａと連続する舌部１４３の部分だけではなく、軸部２ｂの回転軸ＲＳの軸方向と平行な方向において、主板２ａよりも側壁４ａに近い部分の舌部１４３を含んでもよい。
【００４９】
舌部１４３は、延設板４２ｂ側からディフューザ板４２ｃ側に見ると、図１４に示すように、第２領域部１４３ｂと比較して第１領域部１４３ａが羽根車２の回転軸ＲＳに近づくように湾曲している。換言すると、舌部１４３は、延設板４２ｂ側からディフューザ板４２ｃ側に見ると、第１領域部１４３ａと比較して第２領域部１４３ｂが羽根車２の回転軸ＲＳから離れるように湾曲している。すなわち、舌部１４３は、第１領域部１４３ａから第２領域部１４３ｂにかけて、羽根車２との間隔が広くなるように、かつ、吐出口４２ａに近づくように滑らかに湾曲している。また、周壁４ｃは、舌部１４３と連続する部分の周壁４ｃも舌部１４３の形状と連続して、側壁４ａ側から主板２ａ側にかけて羽根車２の回転軸ＲＳに近づくように湾曲している。すなわち、スクロールケーシング４は、羽根車２の回転軸ＲＳの軸方向において、舌部１４３と、舌部１４３と連続する部分の周壁４ｃの、側壁４ｄ側の部分がスクロールケーシング４の内側に緩やかに凹むように形成されている。従って、周壁４ｃは、舌部１４３の形状と連続して湾曲している。遠心送風機１１Ａは、遠心送風機１１と比較して、第２領域部１４３ｂが第１領域部１４３ａよりも延設板４２ｂ側に配置されており、第２領域部１４３ｂが第１領域部１４３ａよりも流入口４２ｇの流路側へ膨出するように形成されている。
【００５０】
［遠心送風機１Ａの動作］
羽根車２が回転すると、スクロールケーシング４の外の空気は、吸込口５を通じてスクロールケーシング４の内部に吸い込まれる。スクロールケーシング４の内部に吸い込まれる空気は、ベルマウス３に案内されて羽根車２に吸い込まれる。羽根車２に吸い込まれた空気は、複数の羽根２ｄの間を通る過程で、動圧と静圧が付加された気流となって羽根車２の径方向外側に向かって吹き出される。羽根車２から吹き出された気流は、スクロール部４１において周壁４ｃの内側と羽根２ｄとの間を案内される間に動圧が静圧に変換される。そして、羽根車２から吹き出された気流は、スクロール部４１を通過後、吐出部４２に形成された吐出口４２ａからスクロールケーシング４の外へ吹き出される（矢印Ｆ２）。ここで、羽根車２から吹き出された気流は、主板２ａ側に偏る流れとなっており、主板２ａから吹き出された一部の気流がスクロール部４１の周壁４ｃの内側と衝突することにより、スクロール部４１の周壁４ｃに沿って吸込口５側に回り込む。主板２ａ側を流れる気流と吸込口５側に回り込んだ気流とは、流れる方向が異なり、スクロール部４１において周壁４ｃの内側と羽根２ｄとの間を案内され、スクロール部４１を通過後、舌部１４３を境に一部がスクロール部４１に再流入する（矢印Ｆ３）。
【００５１】
［遠心送風機１Ａの作用効果］
以上のように、遠心送風機１Ａは、舌部１４３が、回転軸ＲＳの軸方向と平行な方向において、主板２ａと対向する部分に位置する第１領域部１４３ａと、第１領域部１４３ａに対して側壁４ａ側に位置する第２領域部１４３ｂとを有する。そして、回転軸ＲＳに対する垂直断面において、第１領域部１４３ａは、第１頂点部１４４を有する。第１頂点部１４４は、巻始部１４１ａと吐出部４２の端部である接続部１４２ｆとを結ぶ第１接続直線ＬＳ１１の二等分線Ｅ１１と、舌部１４３を構成する曲線との交点である。また、第２領域部１４３ｂは、巻始部１４１ａと吐出部４２の周壁４ｃ側の端部である接続部１４２ｆとを結ぶ第２接続直線ＬＳ１２の二等分線Ｅ１２と、舌部１４３を構成する曲線との交点である第２頂点部１４５を有する。そして、回転軸ＲＳと第１頂点部１４４とを結ぶ仮想の直線を第１直線Ｌ１１と定義し、回転軸ＲＳと第２頂点部１４５とを結ぶ仮想の直線を第２直線Ｌ１２と定義した場合に、第２直線Ｌ１２は、第１直線Ｌ１１よりも長いものである。舌部１４３が、当該構成を備えることにより、異なる方向に流れる主板２ａ側の気流と吸込口５側の気流に対応して舌部１４３に生じる気流のよどみ点を移動させることができる。その結果、遠心送風機１Ａは、気流のよどみ点を境にスクロール部４１内に再流入する気流量を調整することができ、それに伴う局所的な圧力変動を抑制することができるため低騒音化することができる。
【００５２】
また、巻始部１４１ａは、渦巻形状を気流の方向と反対方向に延長した仮想の渦巻曲線４ｃ１に対して、吐出口４２ａ側に位置するように形成されている。遠心送風機１Ａは、当該構成を備えることにより、異なる方向に流れる主板２ａ側の気流と吸込口５側の気流に対応して舌部１４３に生じる気流のよどみ点を移動させることができる。その結果、遠心送風機１Ａは、気流のよどみ点を境にスクロール部４１内に再流入する気流量を調整することができ、それに伴う局所的な圧力変動を抑制することができるため低騒音化することができる。
【００５３】
また、遠心送風機１Ａは、第１ディフューザ部４２ｃ４と基準直線Ｔとの間の角度を第１吐出口角度θ１１と定義し、第２ディフューザ部４２ｃ５と基準直線Ｔとの間の角度を第２吐出口角度θ１２と定義する。この場合に、第２吐出口角度θ１２が、第１吐出口角度θ１１よりも大きい角度に形成されている。遠心送風機１Ａは、当該構成を備えることにより、異なる方向に流れる主板２ａ側の気流と吸込口５側の気流に対応して舌部１４３に生じる気流のよどみ点を移動させることができる。その結果、遠心送風機１Ａは、気流のよどみ点を境にスクロール部４１内に再流入する気流量を調整することができ、それに伴う局所的な圧力変動を抑制することができるため低騒音化することができる。
【００５４】
また、舌部１４３は、基準直線Ｔの回転軸ＲＳと吐出口端部４２ｃ１との間において、第２頂点部１４５は、第１頂点部１４４よりも吐出口端部４２ｃ１側に形成されている。遠心送風機１Ａは、当該構成を備えることにより、異なる方向に流れる主板２ａ側の気流と吸込口５側の気流に対応して舌部１４３に生じる気流のよどみ点を移動させることができる。その結果、遠心送風機１Ａは、気流のよどみ点を境にスクロール部４１内に再流入する気流量を調整することができ、それに伴う局所的な圧力変動を抑制することができるため低騒音化することができる。
【００５５】
また、舌部１４３は、第２頂点部１４５と基準直線Ｔとの間の最短距離が、第１頂点部１４４と基準直線Ｔとの間の最短距離よりも大きい。遠心送風機１Ａは、当該構成を備えることにより、異なる方向に流れる主板２ａ側の気流と吸込口５側の気流に対応して舌部１４３に生じる気流のよどみ点を移動させることができる。その結果、遠心送風機１Ａは、気流のよどみ点を境にスクロール部４１内に再流入する気流量を調整することができ、それに伴う局所的な圧力変動を抑制することができるため低騒音化することができる。
【００５６】
また、舌部１４３は、吐出口４２ａ側から見ると、第１領域部１４３ａが回転軸ＲＳに近づくように湾曲して形成されている。遠心送風機１Ａは、当該構成を備えることにより、異なる方向に流れる主板２ａ側の気流と吸込口５側の気流に対応して舌部１４３に生じる気流のよどみ点を移動させることができる。その結果、遠心送風機１Ａは、気流のよどみ点を境にスクロール部４１内に再流入する気流量を調整することができ、それに伴う局所的な圧力変動を抑制することができるため低騒音化することができる。
【００５７】
また、舌部１４３は、第１領域部１４３ａと比較して第２領域部１４３ｂが回転軸ＲＳから離れるように湾曲している。遠心送風機１Ａは、当該構成を備えることにより、異なる方向に流れる主板２ａ側の気流と吸込口５側の気流に対応して舌部１４３に生じる気流のよどみ点を移動させることができる。その結果、遠心送風機１Ａは、気流のよどみ点を境にスクロール部４１内に再流入する気流量を調整することができ、それに伴う局所的な圧力変動を抑制することができるため低騒音化することができる。
【００５８】
実施の形態３．
図１５は、本発明の実施の形態３に係る遠心送風機１Ｂの斜視図である。図１６は、図１５の遠心送風機１Ｂを吐出口４２ａ側から見た側面図である。図１７は、図１６の遠心送風機１ＢのＡ−Ａ線断面図である。図１８は、図１７の遠心送風機１ＢのＢ−Ｂ線位置における、図１５の遠心送風機１Ｂの水平断面図である。図１９は、図１５の遠心送風機１Ｂの舌部２４３と羽根車２の回転軸ＲＳとの関係を示す概念図である。なお、図１〜図１２の遠心送風機１又は遠心送風機１Ａと同一の構成を有する部位には同一の符号を付してその説明を省略する。実施の形態３に係る遠心送風機１Ｂは、実施の形態１に係る遠心送風機１の舌部４３の構成が異なるものであり、舌部４３以外の他の部分の構成は、実施の形態１に係る遠心送風機１と同様である。従って、以下の説明では、図１５〜図１９を用いて、実施の形態３に係る遠心送風機１Ｂの舌部２４３の構成を中心に説明する。
【００５９】
（舌部２４３）
スクロールケーシング４において、吐出部４２のディフューザ板４２ｃと、周壁４ｃの巻始部２４１ａとの間に舌部２４３が形成されている。舌部２４３は、羽根車２が発生させた気流を、スクロール部４１を介して吐出口４２ａに導く。舌部２４３は、スクロール部４１と吐出部４２との境界部分に設けられた凸部である。舌部２４３は、スクロールケーシング４において、軸部２ｂの回転軸ＲＳの軸方向と平行な方向に延びている。
【００６０】
舌部２４３は、図１７に示すように吐出部４２の流入口４２ｇの流路側へ突出するように屈曲して形成される。舌部２４３は、所定の曲率半径で形成されており、周壁４ｃは、舌部２４３を介してディフューザ板４２ｃと滑らかに接続される。吸込口５から羽根車２を通過して送り出された空気は、スクロールケーシング４によって集められて吐出部４２に流入する際、舌部２４３は流路の分岐点となる。すなわち、吐出部４２の流入口４２ｇには、吐出口４２ａへ向かう気流の流路（矢印Ｆ２）及び舌部２４３から上流側へ再流入する気流の流路（矢印Ｆ３）が形成される。また、吐出部４２に流入する空気流れは、スクロールケーシング４を通過する間に静圧が上昇し、スクロールケーシング４内よりも高圧となる。そのため、舌部２４３は、このような圧力差を仕切る機能を有すると共に、曲面により、吐出部４２に流入する空気を各流路へ導く機能を備えている。
【００６１】
図１６〜図１９を用いて舌部２４３の構成を更に説明する。舌部２４３は、羽根車２の回転軸ＲＳの軸方向と平行な方向において、主板２ａと対向する部分に位置する第１領域部２４３ａと、第１領域部２４３ａに対して側壁４ａ側に位置する第２領域部２４３ｂとを有する。舌部２４３は、図１６に示すように、吐出口４２ａ側から見ると、第１領域部２４３ａが軸部２ｂの回転軸ＲＳに近づくようにＵ字形状に湾曲して形成されている。すなわち、遠心送風機１Ｂは、吐出口４２ａ側から見ると、主板２ａと対向する位置にある第１領域部２４３ａが、吸込口５を形成する側壁４ａと接続する第２領域部２４３ｂよりも軸部２ｂの回転軸ＲＳに近い位置に配置されている。舌部２４３は、吐出口４２ａ側から見ると、主板２ａと対向する位置にある第１領域部２４３ａと、吸込口５を形成する側壁４ａと接続する第２領域部２４３ｂとが、同一曲線上に配置されるように形成されている。なお、第１領域部２４３ａは、軸部２ｂの回転軸ＲＳの軸方向と平行な方向において、舌部２４３の中央部分に位置し、羽根車２の主板２ａと対向する位置にある舌部２４３の部分である。また、第２領域部２４３ｂは、軸部２ｂの回転軸ＲＳの軸方向と平行な方向において、舌部２４３の端部に位置し、吸込口５を形成する側壁４ａと連続する舌部２４３の部分である。第１領域部２４３ａは、第２領域部２４３ｂに対して、主板２ａ側に位置する舌部２４３の部分であり、第２領域部２４３ｂは、第１領域部２４３ａに対して、吸込口５側に位置する舌部２４３の部分である。なお、第２領域部２４３ｂは、吸込口５を形成する側壁４ａと連続する舌部２４３の部分だけではなく、軸部２ｂの回転軸ＲＳの軸方向と平行な方向において、主板２ａよりも側壁４ａに近い部分の舌部２４３を含んでもよい。
【００６２】
舌部２４３は、図１８に示すように、延設板４２ｂ側からディフューザ板４２ｃ側に見ると、羽根車２と最も近づく部分の舌部２４３は直線状に形成されており、羽根車２と最も近づく部分の舌部２４３は、羽根車２の回転軸ＲＳと平行に形成されている。舌部２４３は、第１領域部２４３ａ及び第２領域部２４３ｂが、羽根車２の回転軸ＲＳから等しい位置に形成されている。すなわち、舌部２４３は、図１８に示すように、延設板４２ｂ側からディフューザ板４２ｃ側に見ると、羽根車２と最も近づく部分の舌部２４３において、第１領域部２４３ａと第２領域部２４３ｂとは同一直線上に配置されている。実施の形態１に係る遠心送風機１は、スクロールケーシング４は、羽根車２の回転軸ＲＳの軸方向において、舌部２４３と、舌部２４３と連続する部分の周壁４ｃの中央部分がスクロールケーシング４の内側に緩やかに凹むように形成されている。しかし、実施の形態３に係る遠心送風機１Ｂは、図１７及び図１９に示すように、周壁４ｃは、羽根車２の回転軸方向ＲＳにおいて、凹凸が形成されておらず、同一曲面で形成されている。
【００６３】
図１７及び図１９を用いて舌部２４３の構成を更に詳細に説明する。舌部２４３は、周壁４ｃと、ディフューザ板４２ｃとの間に位置する。巻始部２４１ａは、舌部２４３とスクロール部４１の周壁４ｃとの境界に位置する。巻始部２４１ａは、図１７に示すように、軸部２ｂの回転軸ＲＳに対する垂直断面において、舌部２４３を形成する曲線と周壁４ｃを形成する曲線との変曲点になる。中央巻始部２４１ａ１は、第１領域部２４３ａにおける巻始部２４１ａである。端部巻始部２４１ａ２は、第２領域部２４３ｂにおける巻始部２４１ａである。遠心送風機１Ｂは、実施の形態１に係る遠心送風機１と比較して、第２領域部２４３ｂが第１領域部２４３ａよりも延設板４２ｂ側に配置されており、第２領域部２４３ｂが第１領域部２４３ａよりも流入口４２ｇの流路側へ膨出するように形成されている。上述したように、周壁４ｃは、羽根車２の回転軸ＲＳに対する垂直断面において、渦巻形状に形成されている。巻始部２４１ａは、軸部２ｂの回転軸ＲＳに対する垂直断面において、図１９に示すように、渦巻形状を気流の方向と反対方向に延長した仮想の渦巻曲線４ｃ１に対して、吐出口４２ａ側に位置するように形成されている。
【００６４】
接続部２４２ｆは、舌部２４３と吐出部４２のディフューザ板４２ｃとの境界に位置する。接続部２４２ｆは、ディフューザ板４２ｃが曲面を形成する板の場合、軸部２ｂの回転軸ＲＳに対する垂直断面において、舌部２４３を形成する曲線とディフューザ板４２ｃを形成する曲線との変曲点になる。あるいは、ディフューザ板４２ｃが平板の場合、吐出部４２の周壁４ｃ側の端部である接続部２４２ｆは、図１７に示すように、軸部２ｂの回転軸ＲＳに対する垂直断面において、ディフューザ板４２ｃを形成する直線と舌部２４３を形成する曲線との境界となる。中央接続部２４２ｆ１は、第１領域部２４３ａにおける接続部２４２ｆである。端部接続部２４２ｆ２は、第２領域部２４３ｂにおける接続部２４２ｆである。ここで、図１９に示すように、軸部２ｂの回転軸ＲＳに対する垂直断面において、中央接続部２４２ｆ１と端部接続部２４２ｆ２とは異なる位置に配置されている。そして、図１７に示すように、舌部２４３とディフューザ板４２ｃとの境界に位置する接続部２４２ｆは、舌部２４３の端部であると共にディフューザ板４２ｃの端部でもある。そのため、軸部２ｂの回転軸ＲＳに対する垂直断面において、中央接続部２４２ｆ１が端部となる第１ディフューザ部４２ｃ４と、端部接続部２４２ｆ２が端部となる第２ディフューザ部４２ｃ５とは異なる吐出口角度で形成されている。より具体的には、軸部２ｂの回転軸ＲＳに対する垂直断面において、吐出口４２ａを形成するディフューザ板４２ｃの吐出口端部４２ｃ１と、軸部２ｂの回転軸ＲＳとを結ぶ仮想の直線を基準直線Ｔとする。そして、第１ディフューザ部４２ｃ４と基準直線Ｔとの間の角度を第１吐出口角度θ２１と定義する。また、第２ディフューザ部４２ｃ５と基準直線Ｔとの間の角度を第２吐出口角度θ２２と定義する。遠心送風機１Ｂは、第２ディフューザ部４２ｃ５が形成する第２吐出口角度θ２２が、第１ディフューザ部４２ｃ４が形成する第１吐出口角度θ２１よりも大きい角度に形成されている。
【００６５】
舌部２４３は、図１９に示すように、第１頂点部２４４と、第２頂点部２４５とを有する。第１頂点部２４４は、第１領域部２４３ａにおける舌部２４３の頂点である。第１頂点部２４４は、羽根車２の回転軸ＲＳに対する垂直断面において、中央巻始部２４１ａ１と中央接続部２４２ｆ１とを結ぶ第１接続直線ＬＳ２１の二等分線Ｅ２１と、舌部２４３を構成する曲線との交点である。第１接続直線ＬＳ２１と、二等分線Ｅ２１とは、軸部２ｂの回転軸ＲＳに対する垂直断面において、直角に交わる。第２頂点部２４５は、第２領域部２４３ｂにおける舌部２４３の頂点である。第２頂点部２４５は、羽根車２の回転軸ＲＳに対する垂直断面において、端部巻始部２４１ａ２と端部接続部２４２ｆ２とを結ぶ第２接続直線ＬＳ２２の二等分線Ｅ２２と、舌部２４３を構成する曲線との交点である。第２接続直線ＬＳ２２と、二等分線Ｅ２２とは、軸部２ｂの回転軸ＲＳに対する垂直断面において、直角に交わる。
【００６６】
ここで、羽根車２の回転軸ＲＳと第１頂点部２４４とを結ぶ仮想の直線を第１直線Ｌ２１と定義し、羽根車２の回転軸ＲＳと第２頂点部２４５とを結ぶ仮想の直線を第２直線Ｌ２２と定義する。遠心送風機１Ｂは、軸部２ｂの回転軸ＲＳに対する垂直断面において、第１頂点部２４４と回転軸ＲＳとを結ぶ第１直線Ｌ２１が、第２頂点部２４５と回転軸ＲＳとを結ぶ第２直線Ｌ２２よりも短い。換言すれば、遠心送風機１Ｂは、軸部２ｂの回転軸ＲＳに対する垂直断面において、第２頂点部２４５と回転軸ＲＳとを結ぶ第２直線Ｌ２２が、第１頂点部２４４と回転軸ＲＳとを結ぶ第１直線Ｌ２１よりも長い。従って、第２領域部２４３ｂの第２頂点部２４５は、第１領域部２４３ａの第１頂点部２４４と比較して、回転軸ＲＳから離れた位置に配置されている。そのため、軸部２ｂの回転軸ＲＳに対する垂直断面において、羽根車２と舌部２４３との間の空間は、第２領域部２４３ｂの方が第１領域部２４３ａよりも大きい。また、図１７に示すように、遠心送風機１Ｂは、基準直線Ｔの回転軸ＲＳと吐出口端部４２ｃ１との間において、第２頂点部２４５は、第１頂点部２４４よりも吐出口端部４２ｃ１側に形成されている。また、舌部２４３は、第２頂点部２４５と基準直線Ｔとの間の最短距離が、第１頂点部２４４と基準直線Ｔとの間の最短距離よりも大きい。そのため、軸部２ｂの回転軸ＲＳに対する垂直断面において、羽根車２と舌部２４３との間の空間は、第２領域部２４３ｂの方が第１領域部２４３ａよりも大きい。
【００６７】
図２０は、本発明の実施の形態３に係る遠心送風機１Ｂの変形例の吐出口４２ａ側から見た側面図である。図２１は、図１７のＢ−Ｂ線位置における、図２０の遠心送風機１１Ｂの水平断面図である。図１５〜図１９を用いて両吸込みタイプの遠心送風機１Ｂについて説明をしたが、遠心送風機１Ｂは、両吸込みタイプの遠心送風機１Ｂに限定されるものではなく、片吸込みタイプの遠心送風機１１Ｂであってもよい。従って、遠心送風機１１Ｂは、吸込口５が形成された側壁４ａを少なくとも１つ有していればよい。遠心送風機１１Ｂのスクロール部４１は、羽根車２を構成する軸部２ｂの回転軸ＲＳの軸方向から羽根車２を覆い、空気を取り込む吸込口５が形成された側壁４ａと、羽根車２を軸部２ｂの回転軸ＲＳの径方向から囲む周壁４ｃと、を有する。また、片吸込みタイプの遠心送風機１１Ｂのスクロール部４１は、回転軸ＲＳの軸方向に対して垂直な側壁４ｄを有する。側壁４ｄには、吸込口５が形成されておらず、側壁４ｄと側壁４ａとは対向するように形成されている。遠心送風機１１Ｂの複数の羽根２ｄは、軸部２ｂの回転軸ＲＳの軸方向において、図６及び図８に示すように、主板２ａの片側に設けられている。
【００６８】
舌部２４３は、羽根車２の回転軸ＲＳの軸方向と平行な方向において、主板２ａと対向する部分に位置する第１領域部２４３ａと、第１領域部２４３ａに対して側壁４ａ側に位置する第２領域部２４３ｂとを有する。舌部２４３は、図２０に示すように、吐出口４２ａ側から見ると、第１領域部２４３ａが軸部２ｂの回転軸ＲＳに近づくように湾曲して形成されている。すなわち、遠心送風機１Ｂは、吐出口４２ａ側から見ると、主板２ａと対向する位置にある第１領域部２４３ａが、吸込口５を形成する側壁４ａと接続する第２領域部２４３ｂよりも軸部２ｂの回転軸ＲＳに近い位置に配置されている。舌部２４３は、吐出口４２ａ側から見ると、主板２ａと対向する位置にある第１領域部２４３ａと、吸込口５を形成する側壁４ａと接続する第２領域部２４３ｂとが、同一曲線上に配置されるように形成されている。なお、第１領域部２４３ａは、軸部２ｂの回転軸ＲＳの軸方向と平行な方向において、舌部２４３の一方の端部側に位置し、羽根車２の主板２ａと対向する位置にある舌部２４３の部分である。また、第２領域部２４３ｂは、軸部２ｂの回転軸ＲＳの軸方向と平行な方向において、舌部２４３の他方の端部側に位置し、吸込口５を形成する側壁４ａと連続する舌部２４３の部分である。第１領域部２４３ａは、第２領域部２４３ｂに対して、主板２ａ側に位置する舌部２４３の部分であり、第２領域部２４３ｂは、第１領域部２４３ａに対して、吸込口５側に位置する舌部２４３の部分である。なお、第２領域部２４３ｂは、吸込口５を形成する側壁４ａと連続する舌部２４３の部分だけではなく、軸部２ｂの回転軸ＲＳの軸方向と平行な方向において、主板２ａよりも側壁４ａに近い部分の舌部２４３を含んでもよい。
【００６９】
舌部２４３は、延設板４２ｂ側からディフューザ板４２ｃ側に見ると、図２１に示すように、羽根車２と最も近づく部分の舌部２４３は直線状に形成されており、羽根車２と最も近づく部分の舌部２４３は、羽根車２の回転軸ＲＳと平行に形成されている。舌部２４３は、第１領域部２４３ａ及び第２領域部２４３ｂが、羽根車２の回転軸ＲＳから等しい位置に形成されている。すなわち、舌部２４３は、延設板４２ｂ側からディフューザ板４２ｃ側に見ると、羽根車２と最も近づく部分の舌部２４３において、第１領域部２４３ａと第２領域部２４３ｂとは同一直線上に配置されている。上述した遠心送風機１１は、スクロールケーシング４が、羽根車２の回転軸ＲＳの軸方向において、舌部４３と、舌部４３と連続する部分の周壁４ｃの、側壁４ｄ側の部分がスクロールケーシング４の内側に緩やかに凹むように形成されている。しかし、遠心送風機１１Ｂは、図２０及び図２１に示すように、周壁４ｃは、羽根車２の回転軸方向ＲＳにおいて、凹凸が形成されておらず、同一曲面で形成されている。
【００７０】
［遠心送風機１Ｂの動作］
羽根車２が回転すると、スクロールケーシング４の外の空気は、吸込口５を通じてスクロールケーシング４の内部に吸い込まれる。スクロールケーシング４の内部に吸い込まれる空気は、ベルマウス３に案内されて羽根車２に吸い込まれる。羽根車２に吸い込まれた空気は、複数の羽根２ｄの間を通る過程で、動圧と静圧が付加された気流となって羽根車２の径方向外側に向かって吹き出される。羽根車２から吹き出された気流は、スクロール部４１において周壁４ｃの内側と羽根２ｄとの間を案内される間に動圧が静圧に変換される。そして、羽根車２から吹き出された気流は、スクロール部４１を通過後、吐出部４２に形成された吐出口４２ａからスクロールケーシング４の外へ吹き出される（矢印Ｆ２）。ここで、羽根車２から吹き出された気流は、主板２ａ側に偏る流れとなっており、主板２ａから吹き出された一部の気流がスクロール部４１の周壁４ｃの内側と衝突することにより、スクロール部４１の周壁４ｃに沿って吸込口５側に回り込む。主板２ａ側を流れる気流と吸込口５側に回り込んだ気流とは、流れる方向が異なり、スクロール部４１において周壁４ｃの内側と羽根２ｄとの間を案内され、スクロール部４１を通過後、舌部２４３を境に一部がスクロール部４１に再流入する（矢印Ｆ３）。
【００７１】
［遠心送風機１Ｂの作用効果］
以上のように、遠心送風機１Ｂは、舌部２４３が、回転軸ＲＳの軸方向と平行な方向において、主板２ａと対向する部分に位置する第１領域部２４３ａと、第１領域部２４３ａよりも側壁４ａ側に位置する第２領域部２４３ｂとを有する。そして、回転軸ＲＳに対する垂直断面において、第１領域部２４３ａは、第１頂点部２４４を有する。第１頂点部２４４は、巻始部２４１ａと吐出部４２の端部である接続部２４２ｆとを結ぶ第１接続直線ＬＳ２１の二等分線Ｅ２１と、舌部２４３を構成する曲線との交点である。また、第２領域部２４３ｂは、巻始部２４１ａと吐出部４２の周壁４ｃ側の端部である接続部２４２ｆとを結ぶ第２接続直線ＬＳ２２の二等分線Ｅ２２と、舌部２４３を構成する曲線との交点である第２頂点部２４５を有する。そして、回転軸ＲＳと第１頂点部２４４とを結ぶ仮想の直線を第１直線Ｌ２１と定義し、回転軸ＲＳと第２頂点部２４５とを結ぶ仮想の直線を第２直線Ｌ２２と定義した場合に、第２直線Ｌ２２は、第１直線Ｌ２１よりも長いものである。舌部２４３が、当該構成を備えることにより、異なる方向に流れる主板２ａ側の気流と吸込口５側の気流に対応して舌部２４３に生じる気流のよどみ点を移動させることができる。その結果、遠心送風機１Ｂは、気流のよどみ点を境にスクロール部４１内に再流入する気流量を調整することができ、それに伴う局所的な圧力変動を抑制することができるため低騒音化することができる。
【００７２】
また、巻始部２４１ａは、渦巻形状を気流の方向と反対方向に延長した仮想の渦巻曲線４ｃ１に対して、吐出口４２ａ側に位置するように形成されている。遠心送風機１Ｂは、当該構成を備えることにより、異なる方向に流れる主板２ａ側の気流と吸込口５側の気流に対応して舌部２４３に生じる気流のよどみ点を移動させることができる。その結果、遠心送風機１Ｂは、気流のよどみ点を境にスクロール部４１内に再流入する気流量を調整することができ、それに伴う局所的な圧力変動を抑制することができるため低騒音化することができる。
【００７３】
また、遠心送風機１Ｂは、第１ディフューザ部４２ｃ４と基準直線Ｔとの間の角度を第１吐出口角度θ２１と定義し、第２ディフューザ部４２ｃ５と基準直線Ｔとの間の角度を第２吐出口角度θ２２と定義する。この場合に、第２吐出口角度θ２２が、第１吐出口角度θ２１よりも大きい角度に形成されている。遠心送風機１Ｂは、当該構成を備えることにより、異なる方向に流れる主板２ａ側の気流と吸込口５側の気流に対応して舌部２４３に生じる気流のよどみ点を移動させることができる。その結果、遠心送風機１Ｂは、気流のよどみ点を境にスクロール部４１内に再流入する気流量を調整することができ、それに伴う局所的な圧力変動を抑制することができるため低騒音化することができる。
【００７４】
また、舌部２４３は、基準直線Ｔの回転軸ＲＳと吐出口端部４２ｃ１との間において、第２頂点部２４５は、第１頂点部２４４よりも吐出口端部４２ｃ１側に形成されている。遠心送風機１Ｂは、当該構成を備えることにより、異なる方向に流れる主板２ａ側の気流と吸込口５側の気流に対応して舌部２４３に生じる気流のよどみ点を移動させることができる。その結果、遠心送風機１Ｂは、気流のよどみ点を境にスクロール部４１内に再流入する気流量を調整することができ、それに伴う局所的な圧力変動を抑制することができるため低騒音化することができる。
【００７５】
また、舌部２４３は、第２頂点部２４５と基準直線Ｔとの間の最短距離が、第１頂点部２４４と基準直線Ｔとの間の最短距離よりも大きい。遠心送風機１Ｂは、当該構成を備えることにより、異なる方向に流れる主板２ａ側の気流と吸込口５側の気流に対応して舌部２４３に生じる気流のよどみ点を移動させることができる。その結果、遠心送風機１Ｂは、気流のよどみ点を境にスクロール部４１内に再流入する気流量を調整することができ、それに伴う局所的な圧力変動を抑制することができるため低騒音化することができる。
【００７６】
また、舌部２４３は、吐出口４２ａ側から見ると、第１領域部２４３ａが回転軸ＲＳに近づくように湾曲して形成されている。遠心送風機１Ｂは、当該構成を備えることにより、異なる方向に流れる主板２ａ側の気流と吸込口５側の気流に対応して舌部２４３に生じる気流のよどみ点を移動させることができる。その結果、遠心送風機１Ｂは、気流のよどみ点を境にスクロール部４１内に再流入する気流量を調整することができ、それに伴う局所的な圧力変動を抑制することができるため低騒音化することができる。
【００７７】
また、舌部２４３は、第１領域部２４３ａと比較して第２領域部２４３ｂが回転軸ＲＳから離れるように湾曲している。遠心送風機１Ｂは、当該構成を備えることにより、異なる方向に流れる主板２ａ側の気流と吸込口５側の気流に対応して舌部２４３に生じる気流のよどみ点を移動させることができる。その結果、遠心送風機１Ｂは、気流のよどみ点を境にスクロール部４１内に再流入する気流量を調整することができ、それに伴う局所的な圧力変動を抑制することができるため低騒音化することができる。
【００７８】
実施の形態４．
図２２は、本発明の実施の形態４に係る遠心送風機１Ｃの斜視図である。図２３は、図２２の遠心送風機１Ｃを吐出口４２ａ側から見た側面図である。図２４は、図２３の遠心送風機１ＣのＡ−Ａ線断面図である。図２５は、図２４の遠心送風機１ＣのＢ−Ｂ線位置における、図２２の遠心送風機１Ｃの水平断面図である。図２６は、図２２の遠心送風機１Ｃの舌部３４３と羽根車２の回転軸ＲＳとの関係を示す概念図である。なお、図１〜図１９の遠心送風機１、遠心送風機１Ａ及び遠心送風機１Ｂと同一の構成を有する部位には同一の符号を付してその説明を省略する。実施の形態３に係る遠心送風機１Ｃは、実施の形態１に係る遠心送風機１の舌部４３の構成が異なるものであり、舌部４３以外の他の部分の構成は、実施の形態１に係る遠心送風機１と同様である。従って、以下の説明では、図２２〜図２６を用いて、実施の形態４に係る遠心送風機１Ｃの舌部３４３の構成を中心に説明する。
【００７９】
（舌部３４３）
スクロールケーシング４において、吐出部４２のディフューザ板４２ｃと、周壁４ｃの巻始部３４１ａとの間に舌部３４３が形成されている。舌部３４３は、羽根車２が発生させた気流を、スクロール部４１を介して吐出口４２ａに導く。舌部３４３は、スクロール部４１と吐出部４２との境界部分に設けられた凸部である。舌部３４３は、スクロールケーシング４において、軸部２ｂの回転軸ＲＳの軸方向と平行な方向に延びている。
【００８０】
舌部３４３は、図２４に示すように吐出部４２の流入口４２ｇの流路側へ突出するように屈曲して形成される。舌部３４３は、所定の曲率半径で形成されており、周壁４ｃは、舌部３４３を介してディフューザ板４２ｃと滑らかに接続される。吸込口５から羽根車２を通過して送り出された空気は、スクロールケーシング４によって集められて吐出部４２に流入する際、舌部３４３は流路の分岐点となる。すなわち、吐出部４２の流入口４２ｇには、吐出口４２ａへ向かう気流の流路（矢印Ｆ２）及び舌部３４３から上流側へ再流入する気流の流路（矢印Ｆ３）が形成される。また、吐出部４２に流入する空気流れは、スクロールケーシング４を通過する間に静圧が上昇し、スクロールケーシング４内よりも高圧となる。そのため、舌部３４３は、このような圧力差を仕切る機能を有すると共に、曲面により、吐出部４２に流入する空気を各流路へ導く機能を備えている。
【００８１】
図２３〜図２６を用いて舌部３４３の構成を更に説明する。舌部３４３は、羽根車２の回転軸ＲＳの軸方向と平行な方向において、主板２ａと対向する部分に位置する第１領域部３４３ａと、第１領域部３４３ａに対して側壁４ａ側に位置する第２領域部３４３ｂとを有する。舌部３４３は、図２３に示すように、吐出口４２ａ側から見ると、第１領域部３４３ａが軸部２ｂの回転軸ＲＳに近づくようにＵ字形状に湾曲して形成されている。すなわち、遠心送風機１Ｃは、吐出口４２ａ側から見ると、主板２ａと対向する位置にある第１領域部３４３ａが、吸込口５を形成する側壁４ａと接続する第２領域部３４３ｂよりも軸部２ｂの回転軸ＲＳに近い位置に配置されている。舌部３４３は、吐出口４２ａ側から見ると、主板２ａと対向する位置にある第１領域部３４３ａと、吸込口５を形成する側壁４ａと接続する第２領域部３４３ｂとが、同一曲線上に配置されるように形成されている。なお、第１領域部３４３ａは、軸部２ｂの回転軸ＲＳの軸方向と平行な方向において、舌部３４３の中央部分に位置し、羽根車２の主板２ａと対向する位置にある舌部３４３の部分である。また、第２領域部３４３ｂは、軸部２ｂの回転軸ＲＳの軸方向と平行な方向において、舌部３４３の端部に位置し、吸込口５を形成する側壁４ａと連続する舌部３４３の部分である。第１領域部３４３ａは、第２領域部３４３ｂに対して、主板２ａ側に位置する舌部３４３の部分であり、第２領域部３４３ｂは、第１領域部３４３ａに対して、吸込口５側に位置する舌部３４３の部分である。なお、第２領域部３４３ｂは、吸込口５を形成する側壁４ａと連続する舌部３４３の部分だけではなく、軸部２ｂの回転軸ＲＳの軸方向と平行な方向において、主板２ａよりも側壁４ａに近い部分の舌部３４３を含んでもよい。
【００８２】
舌部３４３は、図２５に示すように、延設板４２ｂ側からディフューザ板４２ｃ側に見ると、第２領域部３４３ｂと比較して第１領域部３４３ａが羽根車２の回転軸ＲＳから離れるように湾曲している。換言すると、舌部３４３は、図２５に示すように、延設板４２ｂ側からディフューザ板４２ｃ側に見ると、第１領域部３４３ａと比較して第２領域部３４３ｂが羽根車２の回転軸ＲＳに近づくように湾曲している。すなわち、舌部３４３は、第１領域部３４３ａから第２領域部３４３ｂにかけて、羽根車２との間隔が狭まるように、かつ、吐出口４２ａから離れるように滑らかに逆Ｕ字状に形成されている。また、図２４及び図２６に示すように、周壁４ｃは、舌部３４３と連続する部分の周壁４ｃも舌部３４３の形状と連続して、主板２ａ側から側壁４ａ側にかけて羽根車２の回転軸ＲＳに近づくように湾曲している。すなわち、スクロールケーシング４は、羽根車２の回転軸ＲＳの軸方向において、舌部１４３と、舌部１４３と連続する部分の周壁４ｃの中央部分がスクロールケーシング４の内側から緩やか膨出するように形成されている。従って、周壁４ｃは、舌部３４３の形状と連続して湾曲している。遠心送風機１Ｃは、実施の形態１に係る遠心送風機１と比較して、第２領域部３４３ｂが第１領域部３４３ａよりも延設板４２ｂ側に配置されており、第２領域部３４３ｂが第１領域部３４３ａよりも流入口４２ｇの流路側へ膨出するように形成されている。
【００８３】
図２４及び図２６を用いて舌部３４３の構成を更に詳細に説明する。舌部３４３は、周壁４ｃと、ディフューザ板４２ｃとの間に位置する。巻始部３４１ａは、舌部３４３とスクロール部４１の周壁４ｃとの境界に位置する。巻始部３４１ａは、図２４に示すように、軸部２ｂの回転軸ＲＳに対する垂直断面において、舌部３４３を形成する曲線と周壁４ｃを形成する曲線との変曲点になる。中央巻始部３４１ａ１は、第１領域部３４３ａにおける巻始部３４１ａである。端部巻始部３４１ａ２は、第２領域部３４３ｂにおける巻始部３４１ａである。上述したように、周壁４ｃは、羽根車２の回転軸ＲＳに対する垂直断面において、渦巻形状に形成されている。巻始部３４１ａは、軸部２ｂの回転軸ＲＳに対する垂直断面において、図２６に示すように、渦巻形状を気流の方向と反対方向に延長した仮想の渦巻曲線４ｃ１に対して、吐出口４２ａ側に位置するように形成されている。
【００８４】
接続部３４２ｆは、舌部３４３と吐出部４２のディフューザ板４２ｃとの境界に位置する。接続部３４２ｆは、ディフューザ板４２ｃが曲面を形成する板の場合、軸部２ｂの回転軸ＲＳに対する垂直断面において、舌部３４３を形成する曲線とディフューザ板４２ｃを形成する曲線との変曲点になる。あるいは、ディフューザ板４２ｃが平板の場合、吐出部４２の周壁４ｃ側の端部である接続部３４２ｆは、図１０に示すように、軸部２ｂの回転軸ＲＳに対する垂直断面において、ディフューザ板４２ｃを形成する直線と舌部３４３を形成する曲線との境界となる。中央接続部３４２ｆ１は、第１領域部３４３ａにおける接続部３４２ｆである。端部接続部３４２ｆ２は、第２領域部３４３ｂにおける接続部３４２ｆである。ここで、図２６に示すように、軸部２ｂの回転軸ＲＳに対する垂直断面において、中央接続部３４２ｆ１と端部接続部３４２ｆ２とは異なる位置に配置されている。そして、図２４に示すように、舌部３４３とディフューザ板４２ｃとの境界に位置する接続部３４２ｆは、舌部３４３の端部であると共にディフューザ板４２ｃの端部でもある。そのため、軸部２ｂの回転軸ＲＳに対する垂直断面において、中央接続部３４２ｆ１が端部となる第１ディフューザ部４２ｃ４と、端部接続部３４２ｆ２が端部となる第２ディフューザ部４２ｃ５とは異なる吐出口角度で形成されている。より具体的には、軸部２ｂの回転軸ＲＳに対する垂直断面において、吐出口４２ａを形成するディフューザ板４２ｃの吐出口端部４２ｃ１と、軸部２ｂの回転軸ＲＳとを結ぶ仮想の直線を基準直線Ｔとする。そして、第１ディフューザ部４２ｃ４と基準直線Ｔとの間の角度を第１吐出口角度θ３１と定義する。また、第２ディフューザ部４２ｃ５と基準直線Ｔとの間の角度を第２吐出口角度θ３２と定義する。遠心送風機１Ｃは、第２ディフューザ部４２ｃ５が形成する第２吐出口角度θ３２が、第１ディフューザ部４２ｃ４が形成する第１吐出口角度θ３１よりも大きい角度に形成されている。
【００８５】
舌部３４３は、図２６に示すように、第１頂点部３４４と、第２頂点部３４５とを有する。第１頂点部３４４は、第１領域部３４３ａにおける舌部３４３の頂点である。第１頂点部３４４は、羽根車２の回転軸ＲＳに対する垂直断面において、中央巻始部３４１ａ１と中央接続部３４２ｆ１とを結ぶ第１接続直線ＬＳ３１の二等分線Ｅ３１と、舌部３４３を構成する曲線との交点である。第１接続直線ＬＳ３１と、二等分線Ｅ３１とは、軸部２ｂの回転軸ＲＳに対する垂直断面において、直角に交わる。第２頂点部３４５は、第２領域部３４３ｂにおける舌部３４３の頂点である。第２頂点部３４５は、軸部２ｂの回転軸ＲＳに対する垂直断面において、端部巻始部３４１ａ２と端部接続部３４２ｆ２とを結ぶ第２接続直線ＬＳ３２の二等分線Ｅ３２と、舌部３４３を構成する曲線との交点である。第２頂点部３４５は、羽根車２の回転軸ＲＳに対する垂直断面において、端部巻始部３４１ａ２と端部接続部３４２ｆ２とを結ぶ第２接続直線ＬＳ３２の二等分線Ｅ３２と、舌部３４３を構成する曲線との交点である。第２接続直線ＬＳ３２と、二等分線Ｅ３２とは、軸部２ｂの回転軸ＲＳに対する垂直断面において、直角に交わる。
【００８６】
ここで、羽根車２の回転軸ＲＳと第１頂点部３４４とを結ぶ仮想の直線を第１直線Ｌ３１と定義し、羽根車２の回転軸ＲＳと第２頂点部３４５とを結ぶ仮想の直線を第２直線Ｌ３２と定義する。遠心送風機１Ｃは、軸部２ｂの回転軸ＲＳに対する垂直断面において、第１頂点部３４４と回転軸ＲＳとを結ぶ第１直線Ｌ３１が、第２頂点部３４５と回転軸ＲＳとを結ぶ第２直線Ｌ３２よりも短い。換言すれば、遠心送風機１Ｃは、軸部２ｂの回転軸ＲＳに対する垂直断面において、第２頂点部３４５と回転軸ＲＳとを結ぶ第２直線Ｌ３２が、第１頂点部３４４と回転軸ＲＳとを結ぶ第１直線Ｌ３１よりも長い。従って、第２領域部３４３ｂの第２頂点部３４５は、第１領域部３４３ａの第１頂点部３４４と比較して、回転軸ＲＳから離れた位置に配置されている。そのため、軸部２ｂの回転軸ＲＳに対する垂直断面において、羽根車２と舌部３４３との間の空間は、第２領域部３４３ｂの方が第１領域部３４３ａよりも大きい。また、図２４に示すように、舌部３４３は、第２頂点部３４５と基準直線Ｔとの間の最短距離が、第１頂点部３４４と基準直線Ｔとの間の最短距離よりも大きい。そのため、軸部２ｂの回転軸ＲＳに対する垂直断面において、羽根車２と舌部３４３との間の空間は、第２領域部３４３ｂの方が第１領域部３４３ａよりも大きい。
【００８７】
遠心送風機１Ｃは、羽根車２の回転軸ＲＳに対する垂直断面において、更に以下の関係を有するように構成されている。遠心送風機１Ｃは、図２６に示すように、中央巻始部３４１ａ１と回転軸ＲＳとを結ぶ仮想の接続直線Ｌ１３１において、中央巻始部３４１ａ１と羽根車２との距離を第１距離ｄＢとする。また、遠心送風機１Ｃは、端部巻始部３４１ａ２と回転軸ＲＳとを結ぶ仮想の接続直線Ｌ１３２において、端部巻始部３４１ａ２と羽根車２との距離を第２距離ｄＡとする。また、遠心送風機１Ｃは、第１領域部３４３ａと連続する周壁４ｃと羽根車２との距離を第１距離ｄＢ´とする。また、遠心送風機１Ｃは、第２領域部３４３ｂと連続する周壁４ｃと羽根車２との距離を第２距離ｄＡ´とする。このとき、遠心送風機１Ｃは、第２距離ｄＡ＞第１距離ｄＢ、かつ、第１距離ｄＢ´＞第２距離ｄＡ´の関係が成り立つ。
【００８８】
図２７は、本発明の実施の形態４に係る遠心送風機１Ｃの変形例の吐出口４２ａ側から見た側面図である。図２８は、図２４のＢ−Ｂ線位置における、図２７の遠心送風機１１Ｃの水平断面図である。図２２〜図２６を用いて両吸込みタイプの遠心送風機１Ｃについて説明をしたが、遠心送風機１Ｃは、両吸込みタイプの遠心送風機１Ｃに限定されるものではなく、片吸込みタイプの遠心送風機１１Ｃであってもよい。従って、遠心送風機１１Ｃは、吸込口５が形成された側壁４ａを少なくとも１つ有していればよい。遠心送風機１１Ｃのスクロール部４１は、羽根車２を構成する軸部２ｂの回転軸ＲＳの軸方向から羽根車２を覆い、空気を取り込む吸込口５が形成された側壁４ａと、羽根車２を軸部２ｂの回転軸ＲＳの径方向から囲む周壁４ｃと、を有する。また、片吸込みタイプの遠心送風機１１Ｃのスクロール部４１は、回転軸ＲＳの軸方向に対して垂直な側壁４ｄを有する。側壁４ｄには、吸込口５が形成されておらず、側壁４ｄと側壁４ａとは対向するように形成されている。遠心送風機１１の複数の羽根２ｄは、軸部２ｂの回転軸ＲＳの軸方向において、図２７及び図２８に示すように、主板２ａの片側に設けられている。
【００８９】
舌部３４３は、羽根車２の回転軸ＲＳの軸方向と平行な方向において、主板２ａと対向する部分に位置する第１領域部３４３ａと、第１領域部３４３ａに対して側壁４ａ側に位置する第２領域部３４３ｂとを有する。舌部３４３は、図２７に示すように、吐出口４２ａ側から見ると、第１領域部３４３ａが軸部２ｂの回転軸ＲＳに近づくように湾曲して形成されている。すなわち、遠心送風機１Ｃは、吐出口４２ａ側から見ると、主板２ａと対向する位置にある第１領域部３４３ａが、吸込口５を形成する側壁４ａと接続する第２領域部３４３ｂよりも軸部２ｂの回転軸ＲＳに近い位置に配置されている。舌部３４３は、吐出口４２ａ側から見ると、主板２ａと対向する位置にある第１領域部３４３ａと、吸込口５を形成する側壁４ａと接続する第２領域部３４３ｂとが、同一曲線上に配置されるように形成されている。なお、第１領域部３４３ａは、軸部２ｂの回転軸ＲＳの軸方向と平行な方向において、舌部３４３の一方の端部側に位置し、羽根車２の主板２ａと対向する位置にある舌部３４３の部分である。また、第２領域部３４３ｂは、軸部２ｂの回転軸ＲＳの軸方向と平行な方向において、舌部３４３の他方の端部側に位置し、吸込口５を形成する側壁４ａと連続する舌部３４３の部分である。第１領域部３４３ａは、第２領域部３４３ｂに対して、主板２ａ側に位置する舌部３４３の部分であり、第２領域部３４３ｂは、第１領域部３４３ａに対して、吸込口５側に位置する舌部３４３の部分である。なお、第２領域部３４３ｂは、吸込口５を形成する側壁４ａと連続する舌部３４３の部分だけではなく、軸部２ｂの回転軸ＲＳの軸方向と平行な方向において、主板２ａよりも側壁４ａに近い部分の舌部３４３を含んでもよい。
【００９０】
舌部３４３は、延設板４２ｂ側からディフューザ板４２ｃ側に見ると、図２８に示すように、第２領域部３４３ｂと比較して第１領域部３４３ａが羽根車２の回転軸ＲＳから離れるように湾曲している。換言すると、舌部３４３は、延設板４２ｂ側からディフューザ板４２ｃ側に見ると、第１領域部３４３ａと比較して第２領域部３４３ｂが羽根車２の回転軸ＲＳに近づくように湾曲している。すなわち、舌部３４３は、第１領域部３４３ａから第２領域部３４３ｂにかけて、羽根車２との間隔が狭まるように、かつ、吐出口４２ａから離れるように滑らかに湾曲している。また、周壁４ｃは、舌部３４３と連続する部分の周壁４ｃも舌部３４３の形状と連続して、主板２ａ側から側壁４ａ側にかけて羽根車２の回転軸ＲＳに近づくように湾曲している。すなわち、スクロールケーシング４は、羽根車２の回転軸ＲＳの軸方向において、舌部１４３と、舌部１４３と連続する部分の周壁４ｃの、側壁４ｄ側の部分がスクロールケーシング４の内側から緩やか膨出するように形成されている。従って、周壁４ｃは、舌部３４３の形状と連続して湾曲している。遠心送風機１１Ｃは、遠心送風機１１と比較して、第２領域部３４３ｂが第１領域部３４３ａよりも延設板４２ｂ側に配置されており、第２領域部３４３ｂが第１領域部３４３ａよりも流入口４２ｇの流路側へ膨出するように形成されている。
【００９１】
［遠心送風機１Ｃの動作］
羽根車２が回転すると、スクロールケーシング４の外の空気は、吸込口５を通じてスクロールケーシング４の内部に吸い込まれる。スクロールケーシング４の内部に吸い込まれる空気は、ベルマウス３に案内されて羽根車２に吸い込まれる。羽根車２に吸い込まれた空気は、複数の羽根２ｄの間を通る過程で、動圧と静圧が付加された気流となって羽根車２の径方向外側に向かって吹き出される。羽根車２から吹き出された気流は、スクロール部４１において周壁４ｃの内側と羽根２ｄとの間を案内される間に動圧が静圧に変換される。そして、羽根車２から吹き出された気流は、スクロール部４１を通過後、吐出部４２に形成された吐出口４２ａからスクロールケーシング４の外へ吹き出される（矢印Ｆ２）。ここで、羽根車２から吹き出された気流は、主板２ａ側に偏る流れとなっており、主板２ａから吹き出された一部の気流がスクロール部４１の周壁４ｃの内側と衝突することにより、スクロール部４１の周壁４ｃに沿って吸込口５側に回り込む。主板２ａ側を流れる気流と吸込口５側に回り込んだ気流とは、流れる方向が異なり、スクロール部４１において周壁４ｃの内側と羽根２ｄとの間を案内され、スクロール部４１を通過後、舌部３４３を境に一部がスクロール部４１に再流入する（矢印Ｆ３）。
【００９２】
［遠心送風機１Ｃの作用効果］
以上のように、遠心送風機１Ｃは、舌部３４３が、回転軸ＲＳの軸方向と平行な方向において、主板２ａと対向する部分に位置する第１領域部３４３ａと、第１領域部３４３ａよりも側壁４ａ側に位置する第２領域部３４３ｂとを有する。そして、回転軸ＲＳに対する垂直断面において、第１領域部３４３ａは、第１頂点部３４４を有する。第１頂点部３４４は、巻始部３４１ａと吐出部４２の端部である接続部３４２ｆとを結ぶ第１接続直線ＬＳ３１の二等分線Ｅ３１と、舌部３４３を構成する曲線との交点である。また、第２領域部３４３ｂは、巻始部３４１ａと吐出部４２の周壁４ｃ側の端部である接続部３４２ｆとを結ぶ第２接続直線ＬＳ３２の二等分線Ｅ３２と、舌部３４３を構成する曲線との交点である第２頂点部３４５を有する。そして、回転軸ＲＳと第１頂点部３４４とを結ぶ仮想の直線を第１直線Ｌ３１と定義し、回転軸ＲＳと第２頂点部３４５とを結ぶ仮想の直線を第２直線Ｌ３２と定義した場合に、第２直線Ｌ３２は、第１直線Ｌ３１よりも長いものである。舌部３４３が、当該構成を備えることにより、異なる方向に流れる主板２ａ側の気流と吸込口５側の気流に対応して舌部３４３に生じる気流のよどみ点を移動させることができる。その結果、遠心送風機１Ｃは、気流のよどみ点を境にスクロール部４１内に再流入する気流量を調整することができ、それに伴う局所的な圧力変動を抑制することができるため低騒音化することができる。
【００９３】
また、巻始部３４１ａは、渦巻形状を気流の方向と反対方向に延長した仮想の渦巻曲線４ｃ１に対して、吐出口４２ａ側に位置するように形成されている。遠心送風機１Ｃは、当該構成を備えることにより、異なる方向に流れる主板２ａ側の気流と吸込口５側の気流に対応して舌部３４３に生じる気流のよどみ点を移動させることができる。その結果、遠心送風機１Ｃは、気流のよどみ点を境にスクロール部４１内に再流入する気流量を調整することができ、それに伴う局所的な圧力変動を抑制することができるため低騒音化することができる。
【００９４】
また、遠心送風機１Ｃは、第１ディフューザ部４２ｃ４と基準直線Ｔとの間の角度を第１吐出口角度θ３１と定義し、第２ディフューザ部４２ｃ５と基準直線Ｔとの間の角度を第２吐出口角度θ３２と定義する。この場合に、第２吐出口角度θ３２が、第１吐出口角度θ３１よりも大きい角度に形成されている。遠心送風機１Ｃは、当該構成を備えることにより、異なる方向に流れる主板２ａ側の気流と吸込口５側の気流に対応して舌部３４３に生じる気流のよどみ点を移動させることができる。その結果、遠心送風機１Ｃは、気流のよどみ点を境にスクロール部４１内に再流入する気流量を調整することができ、それに伴う局所的な圧力変動を抑制することができるため低騒音化することができる。
【００９５】
また、舌部３４３は、第２頂点部３４５と基準直線Ｔとの間の最短距離が、第１頂点部３４４と基準直線Ｔとの間の最短距離よりも大きい。遠心送風機１Ｃは、当該構成を備えることにより、異なる方向に流れる主板２ａ側の気流と吸込口５側の気流に対応して舌部３４３に生じる気流のよどみ点を移動させることができる。その結果、遠心送風機１Ｃは、気流のよどみ点を境にスクロール部４１内に再流入する気流量を調整することができ、それに伴う局所的な圧力変動を抑制することができるため低騒音化することができる。
【００９６】
また、舌部３４３は、吐出口４２ａ側から見ると、第１領域部３４３ａが回転軸ＲＳに近づくように湾曲して形成されている。遠心送風機１Ｃは、当該構成を備えることにより、異なる方向に流れる主板２ａ側の気流と吸込口５側の気流に対応して舌部３４３に生じる気流のよどみ点を移動させることができる。その結果、遠心送風機１Ｃは、気流のよどみ点を境にスクロール部４１内に再流入する気流量を調整することができ、それに伴う局所的な圧力変動を抑制することができるため低騒音化することができる。
【００９７】
また、遠心送風機１Ｃは、第２距離ｄＡ＞第１距離ｄＢ、かつ、第１距離ｄＢ´＞第２距離ｄＡ´の関係が成り立つ。舌部３４３が、当該構成を備えることにより、異なる方向に流れる主板２ａ側の気流と吸込口５側の気流に対応して舌部３４３に生じる気流のよどみ点を移動させることができる。その結果、遠心送風機１Ｃは、気流のよどみ点を境にスクロール部４１内に再流入する気流量の調整と、それに伴う局所的な圧力変動を抑制することができるため低騒音化することができる。
【００９８】
また、遠心送風機１Ｃは、第２距離ｄＡ＞第１距離ｄＢ、かつ、第１距離ｄＢ´＞第２距離ｄＡ´の関係が成り立ち、舌部３４３は、第２領域部３４３ｂと比較して第１領域部３４３ａが回転軸ＲＳから離れるように湾曲している。遠心送風機１Ｃは、当該構成を備えることにより、異なる方向に流れる主板２ａ側の気流と吸込口５側の気流に対応して舌部３４３に生じる気流のよどみ点を移動させることができる。その結果、遠心送風機１Ｃは、気流のよどみ点を境にスクロール部４１内に再流入する気流量を調整することができ、それに伴う局所的な圧力変動を抑制することができるため低騒音化することができる。
【００９９】
実施の形態５．
［送風装置３０］
図２９は、本発明の実施の形態５に係る送風装置３０の構成を示す図である。図１〜図２６の遠心送風機１等と同一の構成を有する部位には同一の符号を付してその説明を省略する。実施の形態５に係る送風装置３０は、例えば、換気扇、卓上ファンなどであり、実施の形態１〜４に係る遠心送風機１、遠心送風機１Ａ、遠心送風機１Ｂ又は遠心送風機１Ｃと、遠心送風機１等を収容するケース７とを備えている。なお、以下の説明において、遠心送風機１と示す場合には、実施の形態１〜４に係る遠心送風機１、遠心送風機１Ａ、遠心送風機１Ｂ又は遠心送風機１Ｃのいずれか１つを用いるものである。ケース７には、吸込口７１及び吐出口７２の二つの開口が形成されている。送風装置３０は、図２９に示すように、吸込口７１と吐出口７２とが対向する位置に形成されている。なお、送風装置３０は、例えば、吸込口７１又は吐出口７２のいずれか一方が遠心送風機１の上方又は下方に形成されているなど、必ずしも吸込口７１と吐出口７２とが対向する位置に形成されていなくてもよい。ケース７内は、吸込口７１が形成されている部分を備えた空間Ｓ１と吐出口７２が形成されている部分を備えた空間Ｓ２とが、仕切板７３で仕切られている。遠心送風機１は、吸込口７１が形成されている側の空間Ｓ１に吸込口５が位置し、吐出口７２が形成されている側の空間Ｓ２に吐出口４２ａが位置する状態で設置される。
【０１００】
送風装置３０は、モータ６の駆動によって羽根車２が回転すると、吸込口７１を通じてケース７の内部に空気が吸い込まれる。ケース７の内部に吸い込まれた空気は、ベルマウス３に案内され、羽根車２に吸い込まれる。羽根車２に吸い込まれた空気は、羽根車２の径方向外側に向かって吹き出される。羽根車２から吹き出された空気は、スクロールケーシング４の内部を通過後、スクロールケーシング４の吐出口４２ａから吹き出され、ケース７の吐出口７２から吹き出される。
【０１０１】
実施の形態５に係る送風装置３０は、実施の形態１〜４に係る遠心送風機１、遠心送風機１Ａ、遠心送風機１Ｂ又は遠心送風機１Ｃを備えるため、騒音の低減を実現できる。
【０１０２】
実施の形態６．
［空気調和装置４０］
図３０は、本発明の実施の形態６に係る空気調和装置４０の斜視図である。図３１は、本発明の実施の形態６に係る空気調和装置４０の内部構成を示す図である。図３２は、本発明の実施の形態６に係る空気調和装置４０の断面図である。なお、実施の形態６に係る空気調和装置４０に用いられる遠心送風機１は、図１〜図２９の遠心送風機１と同一の構成を有する部位には同一の符号を付してその説明を省略する。また、図３１では、空気調和装置４０の内部構成を示すために、上面部１６ａは省略している。実施の形態６に係る空気調和装置４０は、実施の形態１〜４に係る遠心送風機１、遠心送風機１Ａ、遠心送風機１Ｂ又は遠心送風機１Ｃと、遠心送風機１の吐出口４２ａと対向する位置に配置された熱交換器１０と、を備える。また、実施の形態６に係る空気調和装置４０は、空調対象の部屋の天井裏に設置されたケース１６を備えている。なお、以下の説明において、遠心送風機１と示す場合には、実施の形態１〜４に係る遠心送風機１、遠心送風機１Ａ、遠心送風機１Ｂ又は遠心送風機１Ｃのいずれか１つを用いるものである。
【０１０３】
（ケース１６）
ケース１６は、図３０に示すように、上面部１６ａ、下面部１６ｂ及び側面部１６ｃを含む直方体状に形成されている。なお、ケース１６の形状は、直方体状に限定されるものではなく、例えば、円柱形状、角柱状、円錐状、複数の角部を有する形状、複数の曲面部を有する形状等、他の形状であってもよい。ケース１６は、側面部１６ｃの１つとして、ケース吐出口１７が形成された側面部１６ｃを有する。ケース吐出口１７の形状は、図３０で示すように矩形状に形成されている。なお、ケース吐出口１７の形状は、矩形状に限定されるものではなく、例えば、円形状、オーバル形状等でもよく、他の形状であってもよい。ケース１６は、側面部１６ｃのうち、ケース吐出口１７が形成された面の裏となる面に、ケース吸込口１８が形成された側面部１６ｃを有している。ケース吸込口１８の形状は、図３１で示すように矩形状に形成されている。なお、ケース吸込口１８の形状は、矩形状に限定されるものではなく、例えば、円形状、オーバル形状等でもよく、他の形状であってもよい。ケース吸込口１８には、空気中の塵埃を取り除くフィルタが配置されてもよい。
【０１０４】
ケース１６の内部には、二つの遠心送風機１と、ファンモータ９と、熱交換器１０とが収容されている。遠心送風機１は、羽根車２と、ベルマウス３が形成されたスクロールケーシング４とを備えている。遠心送風機１のベルマウス３の形状は、実施の形態１の遠心送風機１のベルマウス３の形状と同様である。ファンモータ９は、ケース１６の上面部１６ａに固定されたモータサポート９ａによって支持されている。ファンモータ９は、出力軸６ａを有する。出力軸６ａは、側面部１６ｃのうち、ケース吸込口１８が形成された面及びケース吐出口１７が形成された面に対して平行に延びるように配置されている。空気調和装置４０は、図３１に示すように、二つの羽根車２が出力軸６ａに取り付けられている。羽根車２は、ケース吸込口１８からケース１６内に吸い込まれ、ケース吐出口１７から空調対象空間へと吹き出される空気の流れを形成する。なお、ケース１６内に配置される遠心送風機１は、二つに限定されるものではなく、一つ又は三つ以上でもよい。また、遠心送風機１が２つ以上配置される場合には、実施の形態１〜４に係る遠心送風機１、遠心送風機１Ａ、遠心送風機１Ｂ又は遠心送風機１Ｃのいずれか１つ以上を含むものである。
【０１０５】
遠心送風機１は、図３１に示すように、仕切板１９に取り付けられており、ケース１６の内部空間は、スクロールケーシング４の吸い込み側の空間Ｓ１１と、スクロールケーシング４の吹き出し側の空間Ｓ１２とが、仕切板１９によって仕切られている。
【０１０６】
熱交換器１０は、図３２に示すように、遠心送風機１の吐出口４２ａと対向する位置に配置され、ケース１６内において、遠心送風機１が吐出する空気の風路上に配置されている。熱交換器１０は、ケース吸込口１８からケース１６内に吸い込まれ、ケース吐出口１７から空調対象空間へと吹き出される空気の温度を調整する。なお、熱交換器１０は、公知の構造のものを適用できる。
【０１０７】
羽根車２が回転すると、空調対象空間の空気は、ケース吸込口１８を通じてケース１６の内部に吸い込まれる。ケース１６の内部に吸い込まれた空気は、ベルマウス３に案内され、羽根車２に吸い込まれる。羽根車２に吸い込まれた空気は、羽根車２の径方向外側に向かって吹き出される。羽根車２から吹き出された空気は、スクロールケーシング４の内部を通過後、スクロールケーシング４の吐出口４２ａから吹き出され、熱交換器１０に供給される。熱交換器１０に供給された空気は、熱交換器１０を通過する際に、熱交換され、温度及び湿度調整される。熱交換器１０を通過した空気は、ケース吐出口１７から空調対象空間に吹き出される。
【０１０８】
実施の形態６に係る空気調和装置４０は、実施の形態１〜４に係る遠心送風機１、遠心送風機１Ａ、遠心送風機１Ｂ又は遠心送風機１Ｃを備えるため、騒音の低減を実現できる。
【０１０９】
実施の形態７．
［冷凍サイクル装置５０］
図３３は、本発明の実施の形態７に係る冷凍サイクル装置５０の構成を示す図である。なお、実施の形態７に係る冷凍サイクル装置５０の室内機２００には、実施の形態１〜４に係る遠心送風機１、遠心送風機１Ａ、遠心送風機１Ｂ又は遠心送風機１Ｃ等が用いられる。また、以下の説明では、冷凍サイクル装置５０について、空調用途に使用される場合について説明するが、冷凍サイクル装置５０は、空調用途に使用されるものに限定されるものではない。冷凍サイクル装置５０は、例えば、冷蔵庫あるいは冷凍庫、自動販売機、空気調和装置、冷凍装置、給湯器などの、冷凍用途または空調用途に使用される。
【０１１０】
実施の形態７に係る冷凍サイクル装置５０は、冷媒を介して外気と室内の空気の間で熱を移動させることにより、室内を暖房又は冷房して空気調和を行う。実施の形態７に係る冷凍サイクル装置５０は、室外機１００と、室内機２００とを有する。冷凍サイクル装置５０は、室外機１００と室内機２００とが冷媒配管３００及び冷媒配管４００により配管接続されて、冷媒が循環する冷媒回路が構成されている。冷媒配管３００は、気相の冷媒が流れるガス配管であり、冷媒配管４００は、液相の冷媒が流れる液配管である。なお、冷媒配管４００には、気液二相の冷媒を流してもよい。そして、冷凍サイクル装置５０の冷媒回路では、圧縮機１０１、流路切替装置１０２、室外熱交換器１０３、膨張弁１０５、室内熱交換器２０１が冷媒配管を介して順次接続されている。
【０１１１】
（室外機１００）
室外機１００は、圧縮機１０１、流路切替装置１０２、室外熱交換器１０３、及び膨張弁１０５を有している。圧縮機１０１は、吸入した冷媒を圧縮して吐出する。ここで、圧縮機１０１は、インバータ装置を備えていてもよく、インバータ装置によって運転周波数を変化させて、圧縮機１０１の容量を変更することができるように構成されてもよい。なお、圧縮機１０１の容量とは、単位時間当たりに送り出す冷媒の量である。流路切替装置１０２は、例えば四方弁であり、冷媒流路の方向の切り換えが行われる装置である。冷凍サイクル装置５０は、制御装置（図示は省略）からの指示に基づいて、流路切替装置１０２を用いて冷媒の流れを切り換えることで、暖房運転又は冷房運転を実現することができる。
【０１１２】
室外熱交換器１０３は、冷媒と室外空気との熱交換を行う。室外熱交換器１０３は、暖房運転時には蒸発器の働きをし、冷媒配管４００から流入した低圧の冷媒と室外空気との間で熱交換を行って冷媒を蒸発させて気化させる。室外熱交換器１０３は、冷房運転時には、凝縮器の働きをし、流路切替装置１０２側から流入した圧縮機１０１で圧縮済の冷媒と室外空気との間で熱交換を行って、冷媒を凝縮させて液化させる。室外熱交換器１０３には、冷媒と室外空気との間の熱交換の効率を高めるために、室外送風機１０４が設けられている。室外送風機１０４は、インバータ装置を取り付け、ファンモータの運転周波数を変化させてファンの回転速度を変更してもよい。膨張弁１０５は、絞り装置（流量制御手段）であり、膨張弁１０５を流れる冷媒の流量を調節することにより、膨張弁として機能し、開度を変化させることで、冷媒の圧力を調整する。例えば、膨張弁１０５が、電子式膨張弁等で構成された場合は、制御装置（図示は省略）等の指示に基づいて開度調整が行われる。
【０１１３】
（室内機２００）
室内機２００は、冷媒と室内空気との間で熱交換を行う室内熱交換器２０１及び、室内熱交換器２０１が熱交換を行う空気の流れを調整する室内送風機２０２を有する。室内熱交換器２０１は、暖房運転時には、凝縮器の働きをし、冷媒配管３００から流入した冷媒と室内空気との間で熱交換を行い、冷媒を凝縮させて液化させ、冷媒配管４００側に流出させる。室内熱交換器２０１は、冷房運転時には蒸発器の働きをし、膨張弁１０５によって低圧状態にされた冷媒と室内空気との間で熱交換を行い、冷媒に空気の熱を奪わせて蒸発させて気化させ、冷媒配管３００側に流出させる。室内送風機２０２は、室内熱交換器２０１と対面するように設けられている。室内送風機２０２には、実施の形態１〜４に係る遠心送風機１、遠心送風機１Ａ、遠心送風機１Ｂ又は遠心送風機１Ｃが適用される。室内送風機２０２の運転速度は、ユーザの設定により決定される。室内送風機２０２には、インバータ装置を取り付け、ファンモータ（図示は省略）の運転周波数を変化させて羽根車２の回転速度を変更してもよい。
【０１１４】
［冷凍サイクル装置５０の動作例］
次に、冷凍サイクル装置５０の動作例として冷房運転動作を説明する。圧縮機１０１によって圧縮され吐出された高温高圧のガス冷媒は、流路切替装置１０２を経由して、室外熱交換器１０３に流入する。室外熱交換器１０３に流入したガス冷媒は、室外送風機１０４により送風される外気との熱交換により凝縮し、低温の冷媒となって、室外熱交換器１０３から流出する。室外熱交換器１０３から流出した冷媒は、膨張弁１０５によって膨張及び減圧され、低温低圧の気液二相冷媒となる。この気液二相冷媒は、室内機２００の室内熱交換器２０１に流入し、室内送風機２０２により送風される室内空気との熱交換により蒸発し、低温低圧のガス冷媒となって室内熱交換器２０１から流出する。このとき、冷媒に吸熱されて冷却された室内空気は、空調空気（吹出風）となって、室内機２００の吐出口から室内（空調対象空間）に吹き出される。室内熱交換器２０１から流出したガス冷媒は、流路切替装置１０２を経由して圧縮機１０１に吸入され、再び圧縮される。以上の動作が繰り返される。
【０１１５】
次に、冷凍サイクル装置５０の動作例として暖房運転動作を説明する。圧縮機１０１によって圧縮され吐出された高温高圧のガス冷媒は、流路切替装置１０２を経由して、室内機２００の室内熱交換器２０１に流入する。室内熱交換器２０１に流入したガス冷媒は、室内送風機２０２により送風される室内空気との熱交換により凝縮し、低温の冷媒となって、室内熱交換器２０１から流出する。このとき、ガス冷媒から熱を受け取り暖められた室内空気は、空調空気（吹出風）となって、室内機２００の吐出口から室内（空調対象空間）に吹き出される。室内熱交換器２０１から流出した冷媒は、膨張弁１０５によって膨張及び減圧され、低温低圧の気液二相冷媒となる。この気液二相冷媒は、室外機１００の室外熱交換器１０３に流入し、室外送風機１０４により送風される外気との熱交換により蒸発し、低温低圧のガス冷媒となって室外熱交換器１０３から流出する。室外熱交換器１０３から流出したガス冷媒は、流路切替装置１０２を経由して圧縮機１０１に吸入され、再び圧縮される。以上の動作が繰り返される。
【０１１６】
実施の形態７に係る冷凍サイクル装置５０は、実施の形態１〜４に係る遠心送風機１、遠心送風機１Ａ、遠心送風機１Ｂ又は遠心送風機１Ｃを備えるため、騒音の低減を実現できる。
【０１１７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１１８】
１  遠心送風機、１Ａ  遠心送風機、１Ｂ  遠心送風機、１Ｃ  遠心送風機、２  羽根車、２ａ  主板、２ａ１  周縁部、２ｂ  軸部、２ｃ  側板、２ｄ  羽根、２ｅ  吸込口、３  ベルマウス、３ａ  上流端、３ｂ  下流端、４  スクロールケーシング、４ａ  側壁、４ｃ  周壁、４ｃ１  渦巻曲線、４ｄ  側壁、５  吸込口、６  モータ、６ａ  出力軸、７  ケース、９  ファンモータ、９ａ  モータサポート、１０  熱交換器、１１  遠心送風機、１１Ａ  遠心送風機、１１Ｂ  遠心送風機、１１Ｃ  遠心送風機、１６  ケース、１６ａ  上面部、１６ｂ  下面部、１６ｃ  側面部、１７  ケース吐出口、１８  ケース吸込口、１９  仕切板、３０  送風装置、４０  空気調和装置、４１  スクロール部、４１ａ  巻始部、４１ａ１  中央巻始部、４１ａ２  端部巻始部、４１ｂ  巻終部、４２  吐出部、４２ａ  吐出口、４２ｂ  延設板、４２ｃ  ディフューザ板、４２ｃ１  吐出口端部、４２ｃ４  第１ディフューザ部、４２ｃ５  第２ディフューザ部、４２ｄ  第１側板、４２ｅ  第２側板、４２ｆ  接続部、４２ｆ１  中央接続部、４２ｆ２  端部接続部、４２ｇ  流入口、４３  舌部、４３ａ  第１領域部、４３ｂ  第２領域部、４４  第１頂点部、４５  第２頂点部、５０  冷凍サイクル装置、７１  吸込口、７２  吐出口、７３  仕切板、１００  室外機、１０１  圧縮機、１０２  流路切替装置、１０３  室外熱交換器、１０４  室外送風機、１０５  膨張弁、１４１ａ  巻始部、１４１ａ１  中央巻始部、１４１ａ２  端部巻始部、１４２ｆ  接続部、１４２ｆ１  中央接続部、１４２ｆ２  端部接続部、１４３  舌部、１４３ａ  第１領域部、１４３ｂ  第２領域部、１４４  第１頂点部、１４５  第２頂点部、２００  室内機、２０１  室内熱交換器、２０２  室内送風機、２４１ａ  巻始部、２４１ａ１  中央巻始部、２４１ａ２  端部巻始部、２４２ｆ  接続部、２４２ｆ１  中央接続部、２４２ｆ２  端部接続部、２４３  舌部、２４３ａ  第１領域部、２４３ｂ  第２領域部、２４４  第１頂点部、２４５  第２頂点部、３００  冷媒配管、３４１ａ  巻始部、３４１ａ１  中央巻始部、３４１ａ２  端部巻始部、３４２ｆ  接続部、３４２ｆ１  中央接続部、３４２ｆ２  端部接続部、３４３  舌部、３４３ａ  第１領域部、３４３ｂ  第２領域部、３４４  第１頂点部、３４５  第２頂点部、４００  冷媒配管。
【図１】
0006952905.tif 000002
【図２】
0006952905.tif 000003
【図３】
0006952905.tif 000004
【図４】
0006952905.tif 000005
【図５】
0006952905.tif 000006
【図６】
0006952905.tif 000007
【図７】
0006952905.tif 000008
【図８】
0006952905.tif 000009
【図９】
0006952905.tif 000010
【図１０】
0006952905.tif 000011
【図１１】
0006952905.tif 000012
【図１２】
0006952905.tif 000013
【図１３】
0006952905.tif 000014
【図１４】
0006952905.tif 000015
【図１５】
0006952905.tif 000016
【図１６】
0006952905.tif 000017
【図１７】
0006952905.tif 000018
【図１８】
0006952905.tif 000019
【図１９】
0006952905.tif 000020
【図２０】
0006952905.tif 000021
【図２１】
0006952905.tif 000022
【図２２】
0006952905.tif 000023
【図２３】
0006952905.tif 000024
【図２４】
0006952905.tif 000025
【図２５】
0006952905.tif 000026
【図２６】
0006952905.tif 000027
【図２７】
0006952905.tif 000028
【図２８】
0006952905.tif 000029
【図２９】
0006952905.tif 000030
【図３０】
0006952905.tif 000031
【図３１】
0006952905.tif 000032
【図３２】
0006952905.tif 000033
【図３３】
0006952905.tif 000034